(57)【要約】【課題】地図と公図の各々の境界線を重畳して表示するための装置を提供しようとする。【解決手段】本発明は，公図を基本に編纂された共通座標上の編纂後筆界付公図である準公図レイヤを保持する準公図レイヤ保持部と，住所境界付の共通座標上の地図レイヤを保持する地図レイヤ保持部と，共通座標を用いて保持されているレイヤを重畳表示する重畳表示部と，表示情報を送受信する送受信部と，を有する筆情報付地図提供装置を提供する【選択図】図３１
2019053149.tif 000002
【特許請求の範囲】
【請求項１】
公図を基本に編纂された共通座標上の編纂後筆界付公図である準公図レイヤを保持する準公図レイヤ保持部と，
住所境界付の共通座標上の地図レイヤを保持する地図レイヤ保持部と，
共通座標を用いて保持されているレイヤを重畳表示する重畳表示部と，
表示情報を送受信する送受信部と，
を有する筆情報付地図提供装置。
【請求項２】
共通座標情報上の衛星写真レイヤを保持する衛星写真レイヤ保持部をさらに有する請求項１に記載の筆情報付地図提供装置。
【請求項３】
準公図レイヤ保持部には，編纂後筆界で識別される筆単位で地番が関連付けられた地番付準公図レイヤを保持する地番付準公図レイヤ保持手段を有する請求項１又は請求項２に記載の筆情報付地図提供装置。
【請求項４】
地図レイヤ保持部は，住所境界地図レイヤに住所境界によって識別される住所単位で住所情報を関連付けられた住所付地図レイヤを保持する住所付地図レイヤ保持手段を有する請求項１から請求項３のいずれか一に記載の筆情報付地図提供装置。
【請求項５】
各筆の共通座標上での代表点である筆代表点をその筆の地番と関連付けて保持する筆代表点保持部と，
各住所の共通座標上での代表点である住所代表点をその住所情報と関連付けて保持する住所代表点保持部と，
をさらに有する請求項１から請求項４のいずれか一に記載の筆情報付地図提供装置。
【請求項６】
保持されている代表点をレイヤに重畳表示する代表点表示部をさらに有する請求項５に記載の筆情報付地図提供装置。
【請求項７】
検索用住所情報の入力を受け付ける検索用住所情報入力受付部と，
受付けた検索用住所情報と関連付けて保持されている住所代表点を取得する住所代表点取得部と，
取得した住所代表点が最も近い住所代表点となる筆代表点に関連付けられている地番を取得する地番取得部と，
取得した地番を出力する地番出力部と，
をさらに有する請求項６に記載の筆情報付地図提供装置。
【請求項８】
検索用地番の入力を受け付ける検索用地番入力受付部と，
受付けた地番と関連付けて保持されている筆代表点を取得する筆代表点取得部と，
取得した筆代表点から最も近い住所代表点に関連付けられている住所を取得する住所取得部と，
取得した住所を出力する住所出力部と，
をさらに有する請求項６又は請求項７に記載の筆情報付地図提供装置。
【請求項９】
請求項１から請求項８のいずれか一に記載の筆情報付地図提供装置と，
筆情報付地図提供装置の送受信部と受送信する受送信部と，表示情報を表示する表示部と，を有するタブレット装置と，
からなる筆情報付地図提供システム。
【請求項１０】
タブレット装置は，
タブレット装置の表示部に表示された筆代表点又は／及び住所代表点を選択する代表点選択部と，
選択した代表点に関連付けて，静止画情報，動画情報，音声情報，テキスト情報のいずれか一以上である現地情報を記録保持する現地情報記録保持部と，
記録保持される現地情報を受送信部から送信させる現地情報報告部と，
をさらに有する請求項９に記載の筆情報付地図提供システム。
【請求項１１】
筆情報付地図提供装置は，
タブレット装置の受送信部から受信した現地情報を取得する現地情報取得部と，
取得した現地情報を保持する現地情報保持部と，
をさらに有する請求項１０に記載の筆情報付地図提供システム。
【請求項１２】
公図を基本に編纂された共通座標上の編纂後筆界付公図である準公図レイヤを作成する準公図レイヤ作成ステップと，
住所境界付の共通座標上の地図レイヤを作成する地図レイヤ作成ステップと，
共通座標を用いて保持されているレイヤを重畳表示する重畳表示ステップと，
表示情報を送受信する送受信ステップと，
からなる筆情報付地図提供方法。
【請求項１３】
共通座標情報上の衛星写真レイヤを作成する衛星写真レイヤ作成ステップをさらに有する請求項１２に記載の筆情報付地図提供方法。
【請求項１４】
準公図レイヤ作成ステップには，編纂後筆界で識別される筆単位で地番が関連付けられた地番付準公図レイヤを作成する地番付準公図レイヤ作成サブステップを有する請求項１２又は請求項１３に記載の筆情報付地図提供方法。
【請求項１５】
地図レイヤ作成ステップは，住所境界地図レイヤに住所境界によって識別される住所単位で住所情報を関連付けられた住所付地図レイヤを作成する住所付地図レイヤ作成サブステップを有する請求項１２から請求項１４のいずれか一に記載の筆情報付地図提供方法。
【請求項１６】
各筆の共通座標上での代表点である筆代表点をその筆の地番と関連付けて保持させる筆代表点保持ステップと，
各住所の共通座標上での代表点である住所代表点をその住所情報と関連付けて保持させる住所代表点保持ステップと，
をさらに有する請求項１２から請求項１５のいずれか一に記載の筆情報付地図提供方法。
【請求項１７】
保持されている代表点をレイヤに重畳表示する代表点表示ステップをさらに有する請求項１６に記載の筆情報付地図提供方法。
【請求項１８】
検索用住所情報の入力を受け付ける検索用住所情報入力受付ステップと，
受付けた検索用住所情報と関連付けて保持されている住所代表点を取得する住所代表点取得ステップと，
取得した住所代表点が最も近い住所代表点となる筆代表点に関連付けられている地番を取得する地番取得ステップと，
取得した地番を出力する地番出力ステップと，
をさらに有する請求項５，請求項５に従属する請求項６から請求項１１のいずれか一に記載の筆情報付地図提供装置の操作方法。
【請求項１９】
検索用地番の入力を受け付ける検索用地番入力受付ステップと，
受付けた地番と関連付けて保持されている筆代表点を取得する筆代表点取得ステップと，
取得した筆代表点から最も近い住所代表点に関連付けられている住所を取得する住所取得ステップと，
取得した住所を出力する住所出力ステップと，
をさらに有する請求項５，請求項５に従属する請求項６から請求項１１のいずれか一に記載の筆情報付地図提供装置の操作方法。
【請求項２０】
公図を基本に編纂された共通座標上の編纂後筆界付公図である準公図レイヤを作成する準公図レイヤ作成ステップと，
住所境界付の共通座標上の地図レイヤを作成する地図レイヤ作成ステップと，
共通座標を用いて保持されているレイヤを重畳表示する重畳表示ステップと，
表示情報を送受信する送受信ステップと，
を計算機である筆情報付地図提供装置に読取り実行可能に記述した筆情報付地図提供装置の動作プログラム。
【請求項２１】
共通座標情報上の衛星写真レイヤを作成する衛星写真レイヤ作成ステップをさらに有する請求項２０に記載の計算機である筆情報付地図提供装置に読取り実行可能に記述した筆情報付地図提供装置の動作プログラム。
【請求項２２】
準公図レイヤ作成ステップには，編纂後筆界で識別される筆単位で地番が関連付けられた地番付準公図レイヤを作成する地番付準公図レイヤ作成サブステップを有する請求項２０又は請求項２１に記載の計算機である筆情報付地図提供装置に読取り実行可能に記述した筆情報付地図提供装置の動作プログラム。
【請求項２３】
地図レイヤ作成ステップは，住所境界地図レイヤに住所境界によって識別される住所単位で住所情報を関連付けられた住所付地図レイヤを作成する住所付地図レイヤ作成サブステップを有する請求項２０から請求項２２のいずれか一に記載の計算機である筆情報付地図提供装置に読取り実行可能に記述した筆情報付地図提供装置の動作プログラム。
【請求項２４】
各筆の共通座標上での代表点である筆代表点をその筆の地番と関連付けて保持させる筆代表点保持ステップと，
各住所の共通座標上での代表点である住所代表点をその住所情報と関連付けて保持させる住所代表点保持ステップと，
をさらに有する請求項２０から請求項２３のいずれか一に記載の計算機である筆情報付地図提供装置に読取り実行可能に記述した筆情報付地図提供装置の動作プログラム。
【請求項２５】
保持されている代表点をレイヤに重畳表示する代表点表示ステップをさらに有する請求項２４に記載の計算機である筆情報付地図提供装置に読取り実行可能に記述した筆情報付地図提供装置の動作プログラム。
【発明の詳細な説明】
【技術分野】
【０００１】
本発明は，土地の筆情報に関する情報を付した地図を提供するための装置に関するものである。
【背景技術】
【０００２】
通常の地図の場合，住所に関する情報は付されているものの，地番に関する情報は付されていない。
【０００３】
しかし，地番は，法務局等で不動産登記に関する証明書を取得するためには必要な情報である。現状としては，ブルーマップという地番が付された紙媒体での地図を参照しつつ，探した場所の地番を照らし合わせて確認している状況であり，不便を強いられている。
【０００４】
そこで，住所から地番を検索するためのシステムが望まれていた。そのようなシステムとして，特許文献１に記載のシステムが挙げられる。
【先行技術文献】
【特許文献】
【０００５】
【特許文献１】特開２００２−１４９７８８
【発明の概要】
【発明が解決しようとする課題】
【０００６】
特許文献１においては，住所を入力すれば，それに対応する地番が出力するシステムが開示されている（特に，段落番号［００４２］から［００４４］）。
【０００７】
しかし，特許文献１は，住所を入力することによって，その住所に対応付けられて蓄積されている地番を取得することはできるが，いわゆる文字列の検索条件のみでの検索が予定されていた。そこでは，一の住所に複数の地番が含まれている場合に，実際に入手したい地番がいずれの地番であるか探る手立てがなかった。
【課題を解決するための手段】
【０００８】
本発明は，そのような問題を踏まえて，地図と公図の各々の境界線を重畳して表示するための装置を提供しようとするものである。
【０００９】
具体的には，本発明は，公図を基本に編纂された共通座標上の編纂後筆界付公図である準公図レイヤを保持する準公図レイヤ保持部と，住所境界付の共通座標上の地図レイヤを保持する地図レイヤ保持部と，共通座標を用いて保持されているレイヤを重畳表示する重畳表示部と，表示情報を送受信する送受信部と，を有する筆情報付地図提供装置を提供する。
【００１０】
また，本発明は，前記特徴に加えて，共通座標情報上の衛星写真レイヤを保持する衛星写真レイヤ保持部をさらに有する筆情報付地図提供装置を提供する。
【００１１】
また，本発明は，前記特徴に加えて，準公図レイヤ保持部には，編纂後筆界で識別される筆単位で地番が関連付けられた地番付準公図レイヤを保持する地番付準公図レイヤ保持手段を有する筆情報付地図提供装置を提供する。
【００１２】
また，本発明は，前記特徴に加えて，地図レイヤ保持部が，住所境界地図レイヤに住所境界によって識別される住所単位で住所情報を関連付けられた住所付地図レイヤを保持する住所付地図レイヤ保持手段を有する筆情報付地図提供装置を提供する。
【００１３】
また，本発明は，前記特徴に加えて，各筆の共通座標上での代表点である筆代表点をその筆の地番と関連付けて保持する筆代表点保持部と，各住所の共通座標上での代表点である住所代表点をその住所情報と関連付けて保持する住所代表点保持部とをさらに有する筆情報付地図提供装置を提供する。
【００１４】
また，本発明は，前記特徴に加えて，保持されている代表点をレイヤに重畳表示する代表点表示部をさらに有する筆情報付地図提供装置を提供する。
【００１５】
また，本発明は，前記特徴に加えて，検索用住所情報の入力を受け付ける検索用住所情報入力受付部と，受付けた検索用住所情報と関連付けて保持されている住所代表点を取得する住所代表点取得部と，取得した住所代表点が最も近い住所代表点となる筆代表点に関連付けられている地番を取得する地番取得部と，取得した地番を出力する地番出力部とをさらに有する筆情報付地図提供装置を提供する。
【００１６】
また，本発明は，前記特徴を有する筆情報付地図提供装置と，筆情報付地図提供装置の送受信部と受送信する受送信部と表示情報を表示する表示部とを有するタブレット装置と，からなる筆情報付地図提供システムを提供する。さらに，タブレット装置が，タブレット装置の表示部に表示された筆代表点又は／及び住所代表点を選択する代表点選択部と，選択した代表点に関連付けて，静止画情報，動画情報，音声情報，テキスト情報のいずれか一以上である現地情報を記録保持する現地情報記録保持部と，記録保持される現地情報を受送信部から送信させる現地情報報告部と，をさらに有する筆情報付地図提供システムを提供する。さらに，筆情報付地図提供装置が，タブレット装置の受送信部から受信した現地情報を取得する現地情報取得部と，取得した現地情報を保持する現地情報保持部とをさらに有する筆情報付地図提供システムを提供する。
【００１７】
さらに，以上の筆情報付地図提供装置ないし筆情報付地図提供システムにつき，それらを実現するため，筆情報付地図提供方法及び計算機である筆情報付地図提供装置に読取り実行可能に記述した筆情報付地図提供装置の動作プログラムを提供する。
【００１８】
具体的には，公図を基本に編纂された共通座標上の編纂後筆界付公図である準公図レイヤを作成する準公図レイヤ作成ステップと，住所境界付の共通座標上の地図レイヤを作成する地図レイヤ作成ステップと，共通座標を用いて保持されているレイヤを重畳表示する重畳表示ステップと，表示情報を送受信する送受信ステップとからなる筆情報付地図提供方法を提供する。
【００１９】
また，前記特徴に加えて，共通座標情報上の衛星写真レイヤを作成する衛星写真レイヤ作成ステップをさらに有する筆情報付地図提供方法を提供する。
【００２０】
また，前記特徴に加えて，準公図レイヤ作成ステップには，編纂後筆界で識別される筆単位で地番が関連付けられた地番付準公図レイヤを作成する地番付準公図レイヤ作成サブステップを有する筆情報付地図提供方法を提供する。
【００２１】
また，前記特徴に加えて，地図レイヤ作成ステップは，住所境界地図レイヤに住所境界によって識別される住所単位で住所情報を関連付けられた住所付地図レイヤを作成する住所付地図レイヤ作成サブステップを有する筆情報付地図提供方法を提供する。
【００２２】
また，前記特徴に加えて，各筆の共通座標上での代表点である筆代表点をその筆の地番と関連付けて保持させる筆代表点保持ステップと，各住所の共通座標上での代表点である住所代表点をその住所情報と関連付けて保持させる住所代表点保持ステップをさらに有する筆情報付地図提供方法を提供する。
【００２３】
また，前記特徴に加えて，保持されている代表点をレイヤに重畳表示する代表点表示ステップをさらに有する筆情報付地図提供方法を提供する。
【００２４】
また，前記特徴に加えて，検索用住所情報の入力を受け付ける検索用住所情報入力受付ステップと，受付けた検索用住所情報と関連付けて保持されている住所代表点を取得する住所代表点取得ステップと，取得した住所代表点が最も近い住所代表点となる筆代表点に関連付けられている地番を取得する地番取得ステップと，取得した地番を出力する地番出力ステップをさらに有する筆情報付地図提供方法を提供する。
【００２５】
また，前記特徴に加えて，検索用地番の入力を受け付ける検索用地番入力受付ステップと，受付けた地番と関連付けて保持されている筆代表点を取得する筆代表点取得ステップと，取得した筆代表点から最も近い住所代表点に関連付けられている住所を取得する住所取得ステップと，取得した住所を出力する住所出力ステップをさらに有する筆情報付地図提供方法を提供する。
【００２６】
また，公図を基本に編纂された共通座標上の編纂後筆界付公図である準公図レイヤを作成する準公図レイヤ作成ステップと，住所境界付の共通座標上の地図レイヤを作成する地図レイヤ作成ステップと，共通座標を用いて保持されているレイヤを重畳表示する重畳表示ステップと，表示情報を送受信する送受信ステップとを計算機である筆情報付地図提供装置に読取り実行可能に記述した筆情報付地図提供装置の動作プログラムを提供する。
【００２７】
また，前記特徴に加えて，共通座標情報上の衛星写真レイヤを作成する衛星写真レイヤ作成ステップをさらに有する計算機である筆情報付地図提供装置に読取り実行可能に記述した筆情報付地図提供装置の動作プログラムを提供する。
【００２８】
また，前記特徴に加えて，地図レイヤ作成ステップは，住所境界地図レイヤに住所境界によって識別される住所単位で住所情報を関連付けられた住所付地図レイヤを作成する住所付地図レイヤ作成サブステップをさらに有する計算機である筆情報付地図提供装置に読取り実行可能に記述した筆情報付地図提供装置の動作プログラムを提供する。
【００２９】
また，前記特徴に加えて，準公図レイヤ作成ステップには，編纂後筆界で識別される筆単位で地番が関連付けられた地番付準公図レイヤを作成する地番付準公図レイヤ作成サブステップを有する計算機である筆情報付地図提供装置に読取り実行可能に記述した筆情報付地図提供装置の動作プログラムを提供する。
【００３０】
また，前記特徴に加えて，各筆の共通座標上での代表点である筆代表点をその筆の地番と関連付けて保持させる筆代表点保持ステップと，各住所の共通座標上での代表点である住所代表点をその住所情報と関連付けて保持させる住所代表点保持ステップをさらに有する計算機である筆情報付地図提供装置に読取り実行可能に記述した筆情報付地図提供装置の動作プログラムを提供する。
【００３１】
また，前記特徴に加えて，保持されている代表点をレイヤに重畳表示する代表点表示ステップをさらに有する計算機である筆情報付地図提供装置に読取り実行可能に記述した筆情報付地図提供装置の動作プログラムを提供する。
【発明の効果】
【００３２】
以上により，地図と公図の各々の境界線を重畳して表示するための装置を提供しようとするものである。それにより，一の住所に複数の地番が含まれている場合に，実際に入手したい地番がいずれの地番であるか探ることができるようになる。
【図面の簡単な説明】
【００３３】
【図１】実施例１における筆情報付地図提供装置の機能的構成を示す図
【図２】実施例１における筆情報付地図提供装置のハードウェア構成を示す図
【図３】実施例１における筆情報付地図提供装置を利用した場合の処理の流れを示す図
【図４】実施例２における筆情報付地図提供装置の機能的構成を示す図
【図５】実施例２における筆情報付地図提供装置のハードウェア構成を示す図
【図６】実施例３における筆情報付地図提供装置の機能的構成を示す図
【図７】実施例３における筆情報付地図提供装置のハードウェア構成を示す図
【図８】実施例４における筆情報付地図提供装置の機能的構成を示す図
【図９】実施例４における筆情報付地図提供装置のハードウェア構成を示す図
【図１０】実施例５における筆情報付地図提供装置の機能的構成を示す図
【図１１】実施例５における筆情報付地図提供装置のハードウェア構成を示す図
【図１２】実施例６における筆情報付地図提供装置の機能的構成を示す図
【図１３】実施例６における筆情報付地図提供装置のハードウェア構成を示す図
【図１４】実施例６における筆情報付地図提供装置を利用した場合の処理の流れを示す図
【図１５】実施例７における筆情報付地図提供装置の機能的構成を示す図
【図１６】実施例７における筆情報付地図提供装置のハードウェア構成を示す図
【図１７】実施例７における筆情報付地図提供装置を利用した場合の処理の流れを示す図
【図１８】実施例８における筆情報付地図提供装置の機能的構成を示す図
【図１９】実施例８における筆情報付地図提供装置のハードウェア構成を示す図
【図２０】実施例８における筆情報付地図提供装置を利用した場合の処理の流れを示す図
【図２１】実施例９におけるタブレット装置の機能的構成を示す図
【図２２】実施例９におけるタブレット装置のハードウェア構成を示す図
【図２３】実施例９におけるタブレット装置を利用した場合の処理の流れを示す図
【図２４】実施例１０におけるタブレット装置の機能的構成を示す図
【図２５】実施例１０におけるタブレット装置のハードウェア構成を示す図
【図２６】実施例１０におけるタブレット装置を利用した場合の処理の流れを示す図
【図２７】実施例１１における筆情報付地図提供装置の機能的構成を示す図
【図２８】実施例１１における筆情報付地図提供装置のハードウェア構成を示す図
【図２９】実施例１１における筆情報付地図提供装置を利用した場合の処理の流れを示す図
【図３０】筆情報付地図提供システム全体における筆情報付地図提供装置の位置づけを示す図
【図３１】実施例１における筆情報付地図提供装置の表示指定画面の一例を示す図
【図３２】実施例１における筆情報付地図提供装置の表示領域指定画面の一例を示す図
【図３３】図３４と同一場所に関する公図
【図３４】図３３と同一場所に関する住宅地図
【図３５】図３３の公図を利用して，上記の方法によって準公図を生成した場合の図
【図３６】実施例２における筆情報付地図提供装置の表示指定画面の一例を示す図
【図３７】実施例３における筆情報付地図提供装置の表示指定画面の一例を示す図
【図３８】実施例４における筆情報付地図提供装置の表示指定画面の一例を示す図
【図３９】実施例６における筆情報付地図提供装置の表示指定画面の一例を示す図
【図４０】実施例７における筆情報付地図提供装置の表示指定画面の一例を示す図
【図４１】実施例８における筆情報付地図提供装置の表示指定画面の一例を示す図
【図４２】実施例１０におけるタブレット装置の表示画面の一例を示す図
【図４３】実施例２における筆情報付地図提供装置を利用した場合の処理の流れを示す図
【図４４】実施例３における筆情報付地図提供装置を利用した場合の処理の流れを示す図
【図４５】実施例４における筆情報付地図提供装置を利用した場合の処理の流れを示す図
【図４６】実施例５における筆情報付地図提供装置を利用した場合の処理の流れを示す図
【発明を実施するための形態】
【００３４】
以下，本件発明の実施の形態について，添付図面を用いて説明する。なお，実施例と請求項の相互の関係は以下の通りである。主として，実施例１の説明は請求項１，１２及び２０に関し，実施例２の説明は請求項２，１３及び２１に関し，実施例３の説明は請求項３，１４及び２２に関し，実施例４の説明は請求項４，１５及び２３に関し，実施例５の説明は請求項５，１６及び２４に関し，実施例６の説明は請求項６，１７及び２５に関し，実施例７の説明は請求項７及び１８に関し，実施例８の説明は請求項８及び１９に関し，実施例９の説明は請求項９に関し，実施例１０の説明は請求項１０に関し，実施例１１の説明は請求項１１に関するものである。本件発明は，これら実施例に何ら限定されるべきものではなく，その要旨を逸脱しない範囲において，種々なる態様で実施し得る。
【実施例１】
【００３５】
本実施例は，公図を基本に編纂された共通座標上の編纂後筆界付公図である準公図レイヤと，住所境界付の共通座標上の地図レイヤを保持し，共通座標を用いて保持されているレイヤを重畳表示して，表示情報を送受信する筆情報付地図提供装置を提供する。また，それを実現するため，筆情報付地図提供方法及び計算機である筆情報付地図提供装置に読取り実行可能に記述した筆情報付地図提供装置の動作プログラムを提供する。このように公図を編纂して準公図として地図（レイヤ）と重畳するように構成したのは，公図が古く作成されているものであり，当時の技術では正確な経度，緯度に即して公図が作成されておらず，昨今のＧＰＳ信号や衛星写真を用いて作成されている地図と比較して精度が著しく劣るためである。従って，地図には修正を加えず，地図が正確であることを前提として共通座標上で公図を修正するように構成する。逆に公図を基準として地図を修正する場合には著しく利便性の欠ける結果となる。ただし，この点は一般には知られておらず，本件発明者らが実際の業務経験に基づいて蓄積した知識に基づいている。
【００３６】
図３０は，筆情報付地図提供装置の位置づけを示す図である。筆情報付地図提供装置は，インターネットを介して，タブレット装置と接続されている。
【００３７】
＜機能的構成＞
図１は，本実施例における筆情報付地図提供装置の機能的構成を示す図である。本実施例における筆情報付地図提供装置は，準公図レイヤ保持部（０１０１）と地図レイヤ保持部（０１０２）と重畳表示部（０１０３）と送受信部（０１０４）を有する。以下，機能的構成については，具体的に各機能の内容につき説明する。
【００３８】
「準公図レイヤ保持部」とは，公図を基本に編纂された共通座標上の編纂後筆界付公図である準公図レイヤを保持する機能である。ここでいう「公図」とは，土地の位置，形状，地番を公証する登記所に備え付けられている地図のことである。公図は，通常，現況とのズレが存在する。そのため，特段の工夫なくして，公図を地図と合致させることはできない。土地の取引には，むしろ公図における各地番の境界が重要なのであり，合致しないことの不便は大きい。
【００３９】
図３３及び図３４は，同一場所に関する公図と地図のぞれぞれの図である。図３３は公図であり，図３４は地図である。図３３と図３４を比較すれば分かるように，公道の場所などが公図と地図ではズレている。このように，特段の工夫なくして，公図を地図と合致させることはできない。
【００４０】
そこで，以下のような編纂によって共通座標上の編纂後筆界付公図である準公図を生成することにより，公図と地図を合致させることができれば，住所から地番を調査することが一覧的に容易になる。なお，筆界は線図で表されるが線の種類は特に問わない。ただし，後述する住所境界の線とは異なる線種であることが好ましい。具体的には，（１）デジタル化した公図レイヤと，ほぼ同じ領域の地図レイヤとを経度・緯度又はランドマークとなりうる地点を重ねて、両レイヤを重畳観察できるように準備する。この際、公図レイヤは、筆界が複数のノードとそのノードを結ぶ線によって表現される。このノードは画面上で移動可能となっており、ノードを移動させると、そのノードに結ばれている線も移動するようにデータが構成されている。また複数のノードを一度に選択して複数のノードを同時に移動させることも可能であり、ノードに連結されている線に関しては前述のとおりノードに引っ張られて移動する。線は直線のみで構成される。複数のノードの同時移動は、平行移動、回転移動、拡大、縮小などが可能である。（２）地図と公図との明らかなずれがないか判定する。例えば民家の筆界が街路を横切っていたり、並んでいる家屋に連続的に複数の筆界がかかっている状況（全体がずれている状況）があればそこを修正ポイントとして選択する。まず、街路や川、森、海、池、林、公園、寺社など筆界となりうる領域で囲まれた領域単位でノードを選択する。これを街区という。前述のとおり、回転や平行移動、拡大、縮小を行い、街区の輪郭を構成するノードを地図上の街区を構成するポイント（街区が略四角形である場合には、四頂点）に移動する。公図レイヤの街区の輪郭線と、地図レイヤの街区の輪郭線とが一致した状態をまず作り出し、次にその街区内の各筆を地図上に並んでいる家屋が原則各筆ごとに収まるように各筆を構成するノードを微修正する。なお、一つの筆に複数の家屋が含まれる場合もあるので、筆界を修正する際には隣接する筆界と家屋の関係が原則的に一筆一家屋となるように調整する。つまり、一筆の複数家屋が含まれる筆界修正は例外扱いとして処理する。（３）修正は街区単位で行われるので、公図レイヤには、街区単位でのノード移動に伴って筆が存在しない空白地帯が生まれるので、次に作業済み街区に隣接している領域（道路、山、川、公園、寺社、森、林、畑、田んぼなど）のノードを街区に沿わせるように、つまり、地図と合致するように移動する。その移動によって、さらに隣接街区に矛盾が生じている場合などはその隣接する領域に対しても街区単位又は、道路、山、川、公園、寺社、森、林、畑、田んぼなどの単位でノード修正を行う。これらの作業は重ね合わせたレイヤを視認しながら人が作業してもよいし、コンピュータ内ですべて処理するように構成してもよい。コンピュータ内で処理する場合には画像読み取りの人工知能などを利用して行う。なお、人工知能は当初人が行った多数の作業手順を学習させて育成するのが好ましい。図３５は，図３３の公図を利用して，上記の方法によって準公図を生成した場合の図である。図３４の地図における公道の位置などと一致しており，その他の地形との一致も達成されている。
【００４１】
「地図レイヤ保持部」とは，住所境界付の共通座標上の地図レイヤを保持する機能である。住所境界は原則として線図で表されるが，前述のとおり筆界を示す線図とは異なる線種であることが好ましい。さらに重畳する際の上層，下層を特定するように構成した場合に，上層の線種と下層の線種をあらかじめ定めて置いて，それに従って自動的に筆界及び住所境界の線を構成してもよい。さらに境界線は端末からのリクエストに応じて別種に切り替えが可能であってもよく，さらに，一時的に表示される線を選択して消去することができるように構成されていてもよい。消去される線の選択は，線の選択，ないしは消去すべき領域の選択，ないしは，住所又は地番に応じて選択されるように構成されていてもよい。
【００４２】
「重畳表示部」とは，共通座標を用いて保持されているレイヤを重畳表示する機能である。具体的には後述する衛星写真レイヤを含めて地図レイヤと準公図レイヤのいずれか二以上を重畳表示可能なように構成されている。このように構成したので，例えば一の住所を検索したところ複数の地番が検索結果として出力された場合でも，その住所内のどの筆（地番で特定される）の情報が所望の情報であるかを一目で把握することが可能となる。共通座標を用いることによって，重畳表示を実現することができる。
【００４３】
「送受信部」とは，表示情報を送受信する機能である。表示情報とはこの場合重畳表示情報であるが，もちろん，単独レイヤの情報を送受信するように構成されていてもよい。また端末（タブレット端末，ＰＣ，スマートホン，携帯電話など）からの要求に応じて表示領域の拡大縮小をして送信してもよく，また表示領域の移動リクエストに応じて表示領域を移動させて送信してもよい。例えばある住所の重畳表示が端末からリクエストされた場合に，当初はその住所地を中心として表示を送信するが，実際には，端末のユーザインターフェイスを通じて地図の中心点の移動リクエストがあったばあにそれにこたえるように構成すると便利である。
【００４４】
図３１は，本実施例における筆情報付地図提供装置の表示指定画面の一例を示す図である。表示指定として，「地図レイヤ」「準公図レイヤ」のチェックボックスが存在し，チェックを入れることにより，表示される図を指定することになる。また，「地図レイヤ」「準公図レイヤ」のチェックボックスの両方にチェックを入れることにより，地図と準公図の両方が重畳表示された図を選択することができる。
【００４５】
図３２は，本実施例における筆情報付地図提供装置の表示領域指定画面の一例を示す図である。表示領域の指定方法は，「住所」の欄に直接入力する方法，「都道府県」「市町村」についてそれぞれ候補から選択する方法，「地図から」という部分のように地図上から指定場所を選択する方法などが挙げられる。住所の入力は階層的に入力できるように構成されていてもよい。例えば，「東京都千代田区」，「東京都千代田区有楽町」，「東京都千代田区有楽町１丁目」，「東京都千代田区有楽町１丁目７番」などである。このように階層的に住所の入力がされた場合には，その入力された住所の領域は全体が端末の一画面内に収まるように送受信部は送信するのが好ましい。
【００４６】
＜ハードウェア構成＞
本実施例における筆情報付地図提供装置のハードウェア構成について，図を用いて説明する。
【００４７】
図２は，本実施例における筆情報付地図提供装置のハードウェア構成を示す図である。この図にあるように，本実施例における筆情報付地図提供装置は，各種演算処理を行う「ＣＰＵ（中央演算装置）」（０２０１）と，「主メモリ」（０２０２）と，を備えている。また，所定の情報を保持する「ＨＤＤ」（０２０３）や，タブレット端末（０２０６）と情報の送受信を行う「ネットワーク・Ｉ／Ｆ（インターフェース）」（０２０４）を備えている。そして，それらが「システムバス」（０２０５）などのデータ通信経路によって相互に接続され，情報の送受信や処理を行う。
【００４８】
ここに「主メモリ」は，各種処理を行うプログラムを「ＣＰＵ」に実行させるために読み出すと同時に，そのプログラムの作業領域でもあるワーク領域を提供する。また，この「主メモリ」や「ＨＤＤ」にはそれぞれ複数のアドレスが割り当てられており，「ＣＰＵ」で実行されるプログラムは，そのアドレスを特定しアクセスすることで相互にデータのやりとりを行い，処理を行うことが可能になっている。本実施例において「主メモリ」に格納されているプログラムは，準公図レイヤ保持プログラムと地図レイヤ保持プログラムと重畳表示プログラムと送受信プログラムである。また，「主メモリ」と「ＨＤＤ」には，公図を基本に編纂された共通座標上の編纂後筆界付公図である準公図レイヤ，住所境界付の共通座標上の地図レイヤ，共通座標を用いて保持されているレイヤを重畳表示する場合の表示情報などが格納されている。
【００４９】
「ＣＰＵ」は，「主メモリ」に格納されている準公図レイヤ保持プログラムを実行して，公図を基本に編纂された共通座標上の編纂後筆界付公図である準公図レイヤを「主メモリ」と「ＨＤＤ」に格納する。また，「主メモリ」に格納されている地図レイヤ保持プログラムを実行して，住所境界付の共通座標上の地図レイヤを「主メモリ」と「ＨＤＤ」に格納する。そして，「主メモリ」に格納されている重畳表示プログラムを実行して，格納されている準公図レイヤと地図レイヤを共通座標を用いて重畳表示する。そして，「主メモリ」に格納されている送受信プログラムを実行して，「ネットワーク・インターフェース」を通じてタブレット端末装置に対して，準公図レイヤと地図レイヤを共通座標を用いて重畳表示した表示情報を送信する。
【００５０】
＜処理の流れ＞
図３は，本実施例における筆情報付地図提供装置を利用した場合の処理の流れを示す図である。図３にあるように，準公図レイヤ作成ステップ（Ｓ０３０１）と，地図レイヤ作成ステップ（Ｓ０３０２）と，重畳表示ステップ（Ｓ０３０３）と，送受信ステップ（Ｓ０３０４）からなる処理方法である。これらの処理方法は，公図を基本に編纂された共通座標上の編纂後筆界付公図である準公図レイヤを保持する準公図レイヤ保持部と，住所境界付の共通座標上の地図レイヤを保持する地図レイヤ保持部とを有する筆情報付地図提供装置によって実行されるものである。
【００５１】
「準公図レイヤ作成ステップ」とは，公図を基本に編纂された共通座標上の編纂後筆界付公図である準公図レイヤを作成する段階である。
【００５２】
「地図レイヤ作成ステップ」とは，住所境界付の共通座標上の地図レイヤを作成する段階である。  
【００５３】
「重畳表示ステップ」とは，共通座標を用いて保持されているレイヤを重畳表示する段階である。
【００５４】
「送受信ステップ」とは，表示情報を送受信する段階である。
【００５５】
＜まとめ＞
以上により，地図と公図の各々の境界線を重畳して表示するための装置を提供することができる。
【実施例２】
【００５６】
本実施例は，実施例１の特徴に加えて，さらに共通座標情報上の衛星写真レイヤを保持し，準公図レイヤと地図レイヤと合わせて衛星写真レイヤをも重畳表示するように構成された筆情報付地図提供装置である。また，それを実現するため，筆情報付地図提供方法及び計算機である筆情報付地図提供装置に読取り実行可能に記述した筆情報付地図提供装置の動作プログラムである。
【００５７】
以下，本実施例における筆情報付地図提供装置について，機能的構成，ハードウェア構成及び処理の流れについて，順に説明する。
【００５８】
＜機能的構成＞
図４は，本実施例における筆情報付地図提供装置の機能的構成を示す図である。本実施例における筆情報付地図提供装置は，準公図レイヤ保持部（０４０１）と地図レイヤ保持部（０４０２）と重畳表示部（０４０３）と送受信部（０４０４）と衛星写真レイヤ保持部（０４０５）を有する。以下，機能的構成については，具体的に各機能の内容につき説明する。なお，衛星写真レイヤ保持部を除く各機能については，実施例１と同様であるため，衛星写真レイヤ保持部の機能に限定して説明する。
【００５９】
「衛星写真レイヤ保持部」とは，共通座標情報上の衛星写真レイヤを保持する機能である。この衛星写真レイヤは，重畳表示部によって，準公図レイヤと地図レイヤと合わせて重畳表示される。
【００６０】
図３６は，本実施例における筆情報付地図提供装置の表示指定画面の一例を示す図である。表示指定として，「地図レイヤ」「準公図レイヤ」「衛星写真レイヤ」のチェックボックスが存在し，チェックを入れることにより，表示される図を指定することになる。また，「地図レイヤ」「準公図レイヤ」「衛星写真レイヤ」のチェックボックスの複数にチェックを入れることにより，複数の図面が重畳表示された図を表示することができる。特に，衛星写真レイヤと準公図レイヤを重畳表示させれば，建物の写真を見ながら，その建物が所在する土地の地番を確認することができるようになる。端末が携帯型の端末である場合には本筆情報付地図提供装置から送信されてきた衛星写真と現場で目視できる風景とを見比べながら現地調査が可能であるので，より地番の特定が正確に行えるというメリットを享受できる。また衛星写真の他にストリートビュー（通りの風景を連続的静止画で表現したもの）の画面に切り替えることができるように構成されているとなお便利である。ストリートビューはまさに現地で担当者が目にしている風景に合致するはずだからである。ストリートビューへの切り替えは，衛星写真，地図，準公図のレイヤー上で位置を指定することによって行えるように構成することが好ましい。またその他経度緯度情報の入力で切り替えられるように構成してもよい。
【００６１】
＜ハードウェア構成＞
図５は，本実施例における筆情報付地図提供装置のハードウェア構成を示す図である。この図にあるように，本実施例における筆情報付地図提供装置は，各種演算処理を行う「ＣＰＵ（中央演算装置）」（０５０１）と，「主メモリ」（０５０２）と，を備えている。また，所定の情報を保持する「ＨＤＤ」（０５０３）や，タブレット端末（０５０６）と情報の送受信を行う「ネットワーク・Ｉ／Ｆ（インターフェース）」（０５０４）を備えている。そして，それらが「システムバス」（０５０５）などのデータ通信経路によって相互に接続され，情報の送受信や処理を行う。
【００６２】
ここに「主メモリ」は，各種処理を行うプログラムを「ＣＰＵ」に実行させるために読み出すと同時に，そのプログラムの作業領域でもあるワーク領域を提供する。また，この「主メモリ」や「ＨＤＤ」にはそれぞれ複数のアドレスが割り当てられており，「ＣＰＵ」で実行されるプログラムは，そのアドレスを特定しアクセスすることで相互にデータのやりとりを行い，処理を行うことが可能になっている。本実施例において「主メモリ」に格納されているプログラムは，実施例１と同様の準公図レイヤ保持プログラムと地図レイヤ保持プログラムと重畳表示プログラムと送受信プログラムに加えて，衛星写真レイヤ保持プログラムである。
【００６３】
また，「主メモリ」と「ＨＤＤ」には，実施例１と同様に，公図を基本に編纂された共通座標上の編纂後筆界付公図である準公図レイヤ，住所境界付の共通座標上の地図レイヤ，共通座標を用いて保持されているレイヤを重畳表示する場合の表示情報などが格納されている。さらに，本実施例では，共通座標情報上の衛星写真レイヤも格納されている点に特徴がある。
【００６４】
「ＣＰＵ」は，「主メモリ」に格納されている準公図レイヤ保持プログラムを実行して，公図を基本に編纂された共通座標上の編纂後筆界付公図である準公図レイヤを「主メモリ」と「ＨＤＤ」に格納する。また，「主メモリ」に格納されている地図レイヤ保持プログラムを実行して，住所境界付の共通座標上の地図レイヤを「主メモリ」と「ＨＤＤ」に格納する。さらに，「主メモリ」に格納されている衛星写真レイヤ保持プログラムを実行して，共通座標情報上の衛星写真レイヤを「主メモリ」と「ＨＤＤ」に格納する。そして，「主メモリ」に格納されている重畳表示プログラムを実行して，格納されている準公図レイヤと地図レイヤと衛星写真レイヤを共通座標を用いて重畳表示する。そして，「主メモリ」に格納されている送受信プログラムを実行して，「ネットワーク・インターフェース」を通じてタブレット端末装置に対して，準公図レイヤと地図レイヤと衛星写真レイヤを共通座標を用いて重畳表示した表示情報を送信する。
【００６５】
＜処理の流れ＞
図４３は，本実施例における筆情報付地図提供装置を利用した場合の処理の流れを示す図である。図４３にあるように，準公図レイヤ作成ステップ（Ｓ４３０１）と，地図レイヤ作成ステップ（Ｓ４３０２）と，衛星写真レイヤ作成ステップ（Ｓ０４３０３）と，重畳表示ステップ（Ｓ４３０４）と，送受信ステップ（Ｓ４３０５）からなる処理方法である。これらの処理方法は，公図を基本に編纂された共通座標上の編纂後筆界付公図である準公図レイヤを保持する準公図レイヤ保持部と，住所境界付の共通座標上の地図レイヤを保持する地図レイヤ保持部と，共通座標情報上の衛星写真レイヤを保持する衛星写真レイヤ保持部とを有する筆情報付地図提供装置によって実行されるものである。
【００６６】
「準公図レイヤ作成ステップ」と「地図レイヤ作成ステップ」と「重畳表示ステップ」と「送受信ステップ」の内容は，実施例１で述べたとおりである。
【００６７】
「衛星写真レイヤ作成ステップ」とは，共通座標情報上の衛星写真レイヤを作成する段階である。重畳表示ステップでは，準公図レイヤと地図レイヤと合わせて衛星写真レイヤも重畳表示される。
【００６８】
＜まとめ＞
これらにより，地図と公図との各々の境界線と実際の衛星写真を重畳して表示するための装置を提供することができる。
【実施例３】
【００６９】
本実施例は，実施例１又は２の特徴に加えて，準公図レイヤが，編纂後筆界で識別される筆単位で地番が関連付けられた地番付準公図レイヤとなっている筆情報付地図提供装置を提供する。また，それを実現するため，筆情報付地図提供方法及び計算機である筆情報付地図提供装置に読取り実行可能に記述した筆情報付地図提供装置の動作プログラムを提供する。
【００７０】
以下，本実施例における筆情報付地図提供装置について，機能的構成，ハードウェア構成及び処理の流れについて，順に説明する。
【００７１】
＜機能的構成＞
図６は，本実施例における筆情報付地図提供装置の機能的構成を示す図である。本実施例における筆情報付地図提供装置は，準公図レイヤ保持部（０６０１）と地図レイヤ保持部（０６０２）と重畳表示部（０６０３）と送受信部（０６０４）を有し，準公図レイヤ保持部は，地番付準公図レイヤ保持手段（０６０５）を備える。以下，機能的構成については，具体的に各機能の内容につき説明する。なお，準公図レイヤ保持部が備える地番付準公図レイヤ保持手段を除く各機能については，実施例１と同様であるため，地番付準公図レイヤ保持手段の機能に限定して説明する。
【００７２】
「準公図レイヤ保持部」とは，実施例１で説明したように，公図を基本に編纂された共通座標上の編纂後筆界付公図である準公図レイヤを保持する機能である。本実施例で特殊なのは，地番付準公図レイヤ保持手段を備えている点である。「地番付準公図レイヤ保持手段」とは，編纂後筆界で識別される筆単位で地番が関連付けられた地番付準公図レイヤを保持する機能である。
【００７３】
図３７は，本実施例における筆情報付地図提供装置の表示指定画面の一例を示す図である。表示指定として，「地図レイヤ」「準公図レイヤ」のチェックボックスが存在し，準公図レイヤについては「地番あり」「地番なし」のチェックボックスが存在する。それらのチェックボックスにチェックを入れることにより，表示される図を指定することになる。また，「地図レイヤ」「準公図レイヤ」のチェックボックスの両方にチェックを入れることにより，地図と準公図の両方が重畳表示された図を選択することができる。例えば，「地図レイヤ」と「地番あり」の準公図レイヤにチェックを入れた場合には，地図と地番付きの準公図が重畳表示されることとなる。
【００７４】
＜ハードウェア構成＞
図７は，本実施例における筆情報付地図提供装置のハードウェア構成を示す図である。この図にあるように，本実施例における筆情報付地図提供装置は，各種演算処理を行う「ＣＰＵ（中央演算装置）」（０７０１）と，「主メモリ」（０７０２）と，を備えている。また，所定の情報を保持する「ＨＤＤ」（０７０３）や，タブレット端末（０７０６）と情報の送受信を行う「ネットワーク・Ｉ／Ｆ（インターフェース）」（０７０４）を備えている。そして，それらが「システムバス」（０７０５）などのデータ通信経路によって相互に接続され，情報の送受信や処理を行う。
【００７５】
ここに「主メモリ」は，各種処理を行うプログラムを「ＣＰＵ」に実行させるために読み出すと同時に，そのプログラムの作業領域でもあるワーク領域を提供する。また，この「主メモリ」や「ＨＤＤ」にはそれぞれ複数のアドレスが割り当てられており，「ＣＰＵ」で実行されるプログラムは，そのアドレスを特定しアクセスすることで相互にデータのやりとりを行い，処理を行うことが可能になっている。本実施例において「主メモリ」に格納されているプログラムは，実施例１と同様に準公図レイヤ保持プログラムと地図レイヤ保持プログラムと重畳表示プログラムと送受信プログラムであるが，準公図レイヤ保持プログラムが，地番付準公図レイヤ保持サブプログラムであるを含んでいる点が特徴的である。
【００７６】
また，「主メモリ」と「ＨＤＤ」には，実施例１と同様に，公図を基本に編纂された共通座標上の編纂後筆界付公図である準公図レイヤ，住所境界付の共通座標上の地図レイヤ，共通座標を用いて保持されているレイヤを重畳表示する場合の表示情報などが格納されている。本実施例では，準公図レイヤが，編纂後筆界で識別される筆単位で地番が関連付けられた地番付準公図レイヤである点に特徴がある。
【００７７】
「ＣＰＵ」は，「主メモリ」に格納されている地番付準公図レイヤ保持サブプログラムを含む準公図レイヤ保持プログラムを実行して，編纂後筆界で識別される筆単位で地番が関連付けられた地番付準公図レイヤを「主メモリ」と「ＨＤＤ」に格納する。また，「主メモリ」に格納されている地図レイヤ保持プログラムを実行して，住所境界付の共通座標上の地図レイヤを「主メモリ」と「ＨＤＤ」に格納する。そして，「主メモリ」に格納されている重畳表示プログラムを実行して，格納されている地番付準公図レイヤと地図レイヤを共通座標を用いて重畳表示する。そして，「主メモリ」に格納されている送受信プログラムを実行して，「ネットワーク・インターフェース」を通じてタブレット端末装置に対して，地番付準公図レイヤと地図レイヤを共通座標を用いて重畳表示した表示情報を送信する。
【００７８】
＜処理の流れ＞
図４４は，本実施例における筆情報付地図提供装置を利用した場合の処理の流れを示す図である。図４４にあるように，準公図レイヤ作成ステップ（Ｓ４４０１）と，地図レイヤ作成ステップ（Ｓ４４０２）と，重畳表示ステップ（Ｓ４３０４）と，送受信ステップ（Ｓ４３０５）からなる処理方法であり，準公図レイヤ作成ステップは，地番付準公図レイヤ作成サブステップ（Ｓ４４０５）を有している。これらの処理方法は，公図を基本に編纂された共通座標上の編纂後筆界付公図である準公図レイヤを保持する準公図レイヤ保持部と，住所境界付の共通座標上の地図レイヤを保持する地図レイヤ保持部とを有し，準公図レイヤ保持部が，編纂後筆界で識別される筆単位で地番が関連付けられた地番付準公図レイヤを保持する地番付準公図レイヤ保持手段を有する筆情報付地図提供装置によって実行されるものである。
【００７９】
「地図レイヤ作成ステップ」と「重畳表示ステップ」と「送受信ステップ」の内容は，実施例１で述べたとおりである。
【００８０】
「準公図レイヤ作成ステップ」とは，実施例１で述べたように，公図を基本に編纂された共通座標上の編纂後筆界付公図である準公図レイヤを作成する段階であり，本実施例では，「地番付準公図レイヤ作成サブステップ」を有している点が特徴的である。「地番付準公図レイヤ作成サブステップ」とは，編纂後筆界で識別される筆単位で地番が関連付けられた地番付準公図レイヤを作成するという段階である。本実施例における「重畳表示ステップ」では，準公図レイヤ保持部が，編纂後筆界で識別される筆単位で地番が関連付けられた地番付準公図レイヤを保持する地番付準公図レイヤ保持手段を有しているため，地番付準公図レイヤと地図レイヤが重畳表示される点が特徴的である。
【００８１】
＜まとめ＞
これらにより，地図と公図との各々の境界線が重畳して表示されている図面を閲覧して地番を特定できる筆情報付地図提供装置を提供することができる。
【実施例４】
【００８２】
本実施例は，実施例１から３のいずれか一の特徴に加えて，地図レイヤが，住所境界によって識別される住所単位で住所情報を関連付けられた住所付地図レイヤとなっている筆情報付地図提供装置を提供する。また，それを実現するため，筆情報付地図提供方法及び計算機である筆情報付地図提供装置に読取り実行可能に記述した筆情報付地図提供装置の動作プログラムを提供する。
【００８３】
以下，本実施例における筆情報付地図提供装置について，機能的構成，ハードウェア構成及び処理の流れについて，順に説明する。
【００８４】
＜機能的構成＞
図８は，本実施例における筆情報付地図提供装置の機能的構成を示す図である。本実施例における筆情報付地図提供装置は，準公図レイヤ保持部（０８０１）と地図レイヤ保持部（０８０２）と重畳表示部（０８０３）と送受信部（０８０４）を有し，地図レイヤ保持部は，住所付地図レイヤ保持手段（０８０５）を備える。以下，機能的構成については，具体的に各機能の内容につき説明する。なお，地図レイヤ保持部が備える住所付地図レイヤ保持手段を除く各機能については，実施例１と同様であるため，住所付地図レイヤ保持手段の機能に限定して説明する。
【００８５】
「地図レイヤ保持部」とは，実施例１で説明したように，住所境界付の共通座標上の地図レイヤを保持する機能である。本実施例で特殊なのは，住所付地図レイヤ保持手段を備えている点である。「住所付地図レイヤ保持手段」とは，住所境界地図レイヤに住所境界によって識別される住所単位で住所情報を関連付けられた住所付地図レイヤを保持する機能である。
【００８６】
図３８は，本実施例における筆情報付地図提供装置の表示指定画面の一例を示す図である。表示指定として，「地図レイヤ」「準公図レイヤ」のチェックボックスが存在し，地図レイヤについては「住所あり」「住所なし」のチェックボックスが存在する。それらのチェックボックスにチェックを入れることにより，表示される図を指定することになる。また，「地図レイヤ」「準公図レイヤ」のチェックボックスの両方にチェックを入れることにより，地図と準公図の両方が重畳表示された図を選択することができる。例えば，「準公図レイヤ」と「住所あり」の地図レイヤにチェックを入れた場合には，住所付き地図と準公図が重畳表示されることとなる。なお，住所情報とは，「東京都千代田区」，「東京都千代田区有楽町」，「東京都千代田区有楽町１丁目」，「東京都千代田区有楽町１丁目７番」など階層的な指定ができてよい。もちろん住所の最下層表示ができるように構成されることが必要であることは言うまでもない。
【００８７】
＜ハードウェア構成＞
図９は，本実施例における筆情報付地図提供装置のハードウェア構成を示す図である。この図にあるように，本実施例における筆情報付地図提供装置は，各種演算処理を行う「ＣＰＵ（中央演算装置）」（０９０１）と，「主メモリ」（０９０２）と，を備えている。また，所定の情報を保持する「ＨＤＤ」（０９０３）や，タブレット端末（０９０６）と情報の送受信を行う「ネットワーク・Ｉ／Ｆ（インターフェース）」（０９０４）を備えている。そして，それらが「システムバス」（０９０５）などのデータ通信経路によって相互に接続され，情報の送受信や処理を行う。
【００８８】
ここに「主メモリ」は，各種処理を行うプログラムを「ＣＰＵ」に実行させるために読み出すと同時に，そのプログラムの作業領域でもあるワーク領域を提供する。また，この「主メモリ」や「ＨＤＤ」にはそれぞれ複数のアドレスが割り当てられており，「ＣＰＵ」で実行されるプログラムは，そのアドレスを特定しアクセスすることで相互にデータのやりとりを行い，処理を行うことが可能になっている。本実施例において「主メモリ」に格納されているプログラムは，実施例１と同様に準公図レイヤ保持プログラムと地図レイヤ保持プログラムと重畳表示プログラムと送受信プログラムであるが，地図レイヤ保持プログラムが，住所付地図レイヤ保持サブプログラムであるを含んでいる点が特徴的である。
【００８９】
また，「主メモリ」と「ＨＤＤ」には，実施例１と同様に，公図を基本に編纂された共通座標上の編纂後筆界付公図である準公図レイヤ，住所境界付の共通座標上の地図レイヤ，共通座標を用いて保持されているレイヤを重畳表示する場合の表示情報などが格納されている。本実施例では，地図レイヤが，住所境界地図レイヤに住所境界によって識別される住所単位で住所情報を関連付けられた住所付地図レイヤである点に特徴がある。
【００９０】
「ＣＰＵ」は，「主メモリ」に格納されている準公図レイヤ保持プログラムを実行して，公図を基本に編纂された共通座標上の編纂後筆界付公図である準公図レイヤを「主メモリ」と「ＨＤＤ」に格納する。また，「主メモリ」に格納されている住所付地図レイヤ保持サブプログラムを含む地図レイヤ保持プログラムを実行して，住所境界地図レイヤに住所境界によって識別される住所単位で住所情報を関連付けられた住所付地図レイヤを「主メモリ」と「ＨＤＤ」に格納する。そして，「主メモリ」に格納されている重畳表示プログラムを実行して，格納されている準公図レイヤと住所付地図レイヤを共通座標を用いて重畳表示する。そして，「主メモリ」に格納されている送受信プログラムを実行して，「ネットワーク・インターフェース」を通じてタブレット端末装置に対して，準公図レイヤと住所付地図レイヤを共通座標を用いて重畳表示した表示情報を送信する。
【００９１】
＜処理の流れ＞
図４５は，本実施例における筆情報付地図提供装置を利用した場合の処理の流れを示す図である。図４５にあるように，準公図レイヤ作成ステップ（Ｓ４５０１）と，地図レイヤ作成ステップ（Ｓ４５０２）と，重畳表示ステップ（Ｓ４５０３）と，送受信ステップ（Ｓ４５０４）からなる処理方法であり，地図レイヤ作成ステップは，住所付地図レイヤ作成サブステップ（Ｓ４５０５）を有している。これらの処理方法は，公図を基本に編纂された共通座標上の編纂後筆界付公図である準公図レイヤを保持する準公図レイヤ保持部と，住所境界付の共通座標上の地図レイヤを保持する地図レイヤ保持部とを有し，地図レイヤ保持部が，住所境界地図レイヤに住所境界によって識別される住所単位で住所情報を関連付けられた住所付地図レイヤ住所付地図レイヤ保持手段を有する筆情報付地図提供装置によって実行されるものである。
【００９２】
「準公図レイヤ作成ステップ」と「重畳表示ステップ」と「送受信ステップ」の内容は，実施例１で述べたとおりである。
【００９３】
「地図レイヤ作成ステップ」とは，実施例１で述べたように，住所境界付の共通座標上の地図レイヤを作成する段階であり，本実施例では，「住所付地図レイヤ作成サブステップ」を有している点が特徴的である。「住所付地図レイヤ作成サブステップ」とは，住所境界地図レイヤに住所境界によって識別される住所単位で住所情報を関連付けられた住所付地図レイヤを作成するという段階である。本実施例における「重畳表示ステップ」では，地図レイヤ保持部が，住所境界地図レイヤに住所境界によって識別される住所単位で住所情報を関連付けられた住所付地図レイヤを保持する住所付地図レイヤ保持手段を有しているため，準公図レイヤと住所付地図レイヤが重畳表示される点が特徴的である。
【００９４】
＜まとめ＞
これらにより，地図と公図との各々の境界線が重畳して表示されている図面を閲覧して住所を特定できる筆情報付地図提供装置を提供することができる。
【実施例５】
【００９５】
本実施例は，実施例１から４のいずれか一の特徴に加えて，さらに各筆の共通座標上での代表点である筆代表点をその筆の地番と関連付けて保持し，他方で，各住所の共通座標上での代表点である住所代表点をその住所情報と関連付けて保持するように構成された筆情報付地図提供装置である。また，それを実現するため，筆情報付地図提供方法及び計算機である筆情報付地図提供装置に読取り実行可能に記述した筆情報付地図提供装置の動作プログラムである。
【００９６】
以下，本実施例における筆情報付地図提供装置について，機能的構成，ハードウェア構成及び処理の流れについて，順に説明する。
【００９７】
＜機能的構成＞
図１０は，本実施例における筆情報付地図提供装置の機能的構成を示す図である。本実施例における筆情報付地図提供装置は，準公図レイヤ保持部（１００１）と地図レイヤ保持部（１００２）と重畳表示部（１００３）と送受信部（１００４）と筆代表点保持部（１００５）と住所代表点保持部（１００６）を有する。以下，機能的構成については，具体的に各機能の内容につき説明する。なお，筆代表点保持部と住所代表点保持部を除く各機能については，実施例１と同様であるため，筆代表点保持部と住所代表点保持部の機能に限定して説明する。
【００９８】
「筆代表点保持部」とは，各筆の共通座標上での代表点である筆代表点をその筆の地番と関連付けて保持する機能である。
【００９９】
「住所代表点保持部」とは，各住所の共通座標上での代表点である住所代表点をその住所情報と関連付けて保持する機能である。
【０１００】
それぞれの代表点は，軽度と緯度によって示されるものであり，住所から地番の検索，地番から住所の検索を容易にするためのものである。そのため，代表点については，住所の境界線や地番の境界線で区切った際の区画の中心点であることが望ましい。また，そのように一律に代表点を定めた場合に不適切な代表点が設定された場合には修正するための代表点修正部をさらに有していてもよい。なお，中心点は，その区画平面図形の重心点を自動計算して付与することが考えられる。また代表点の利用方法としては後述する地番や住所の表示中心位置としての利用の他に，代表点をユーザーインターフェイスから選択することでその代表点が示す区画（筆，住所）が計算機によって選択されるように構成してもよい。
【０１０１】
＜ハードウェア構成＞
図１１は，本実施例における筆情報付地図提供装置のハードウェア構成を示す図である。この図にあるように，本実施例における筆情報付地図提供装置は，各種演算処理を行う「ＣＰＵ（中央演算装置）」（１１０１）と，「主メモリ」（１１０２）と，を備えている。また，所定の情報を保持する「ＨＤＤ」（１１０３）や，タブレット端末（１１０６）と情報の送受信を行う「ネットワーク・Ｉ／Ｆ（インターフェース）」（１１０４）を備えている。そして，それらが「システムバス」（１１０５）などのデータ通信経路によって相互に接続され，情報の送受信や処理を行う。
【０１０２】
ここに「主メモリ」は，各種処理を行うプログラムを「ＣＰＵ」に実行させるために読み出すと同時に，そのプログラムの作業領域でもあるワーク領域を提供する。また，この「主メモリ」や「ＨＤＤ」にはそれぞれ複数のアドレスが割り当てられており，「ＣＰＵ」で実行されるプログラムは，そのアドレスを特定しアクセスすることで相互にデータのやりとりを行い，処理を行うことが可能になっている。本実施例において「主メモリ」に格納されているプログラムは，実施例１と同様の準公図レイヤ保持プログラムと地図レイヤ保持プログラムと重畳表示プログラムと送受信プログラムに加えて，筆代表点保持プログラムと住所代表点保持プログラムである。
【０１０３】
また，「主メモリ」と「ＨＤＤ」には，実施例１と同様に，公図を基本に編纂された共通座標上の編纂後筆界付公図である準公図レイヤ，住所境界付の共通座標上の地図レイヤ，共通座標を用いて保持されているレイヤを重畳表示する場合の表示情報などが格納されている。さらに，本実施例では，各筆の地番，各筆の共通座標上での代表点である筆代表点，住所情報，各住所の共通座標上での代表点である住所代表点も格納されている点に特徴がある。
【０１０４】
「ＣＰＵ」は，「主メモリ」に格納されている準公図レイヤ保持プログラムを実行して，公図を基本に編纂された共通座標上の編纂後筆界付公図である準公図レイヤを「主メモリ」と「ＨＤＤ」に格納する。また，「主メモリ」に格納されている地図レイヤ保持プログラムを実行して，住所境界付の共通座標上の地図レイヤを「主メモリ」と「ＨＤＤ」に格納する。また，「主メモリ」に格納されている筆代表点保持プログラムを実行して，各筆の地番及び各筆の共通座標上での代表点である筆代表点を関連付けて「主メモリ」と「ＨＤＤ」に格納する。さらに，「主メモリ」に格納されている住所代表点保持プログラムを実行して，住所情報及び各住所の共通座標上での代表点である住所代表点を関連付けて「主メモリ」と「ＨＤＤ」に格納する。そして，「主メモリ」に格納されている重畳表示プログラムを実行して，格納されている準公図レイヤと地図レイヤを共通座標を用いて重畳表示する。そして，「主メモリ」に格納されている送受信プログラムを実行して，「ネットワーク・インターフェース」を通じてタブレット端末装置に対して，準公図レイヤと地図レイヤを共通座標を用いて重畳表示した表示情報を送信する。
【０１０５】
＜処理の流れ＞
図４６は，本実施例における筆情報付地図提供装置を利用した場合の処理の流れを示す図である。図４６にあるように，準公図レイヤ作成ステップ（Ｓ４６０１）と，地図レイヤ作成ステップ（Ｓ４６０２）と，筆代表点保持ステップ（Ｓ４６０３）と，住所代表点保持ステップ（Ｓ４６０４）と，重畳表示ステップ（Ｓ４６０５）と，送受信ステップ（Ｓ４６０６）からなる処理方法である。これらの処理方法は，公図を基本に編纂された共通座標上の編纂後筆界付公図である準公図レイヤを保持する準公図レイヤ保持部と，住所境界付の共通座標上の地図レイヤを保持する地図レイヤ保持部と，各筆の共通座標上での代表点である筆代表点をその筆の地番と関連付けて保持する筆代表点保持部と，各住所の共通座標上での代表点である住所代表点をその住所情報と関連付けて保持する住所代表点保持部とを有する筆情報付地図提供装置によって実行されるものである。
【０１０６】
「準公図レイヤ作成ステップ」と「地図レイヤ作成ステップ」と「重畳表示ステップ」と「送受信ステップ」の内容は，実施例１で述べたとおりである。重畳表示ステップでは，準公図レイヤと地図レイヤと合わせて衛星写真レイヤも重畳表示される。
【０１０７】
「筆代表点保持ステップ」とは，各筆の共通座標上での代表点である筆代表点をその筆の地番と関連付けて保持させる段階である。
【０１０８】
「住所代表点保持ステップ」とは，各住所の共通座標上での代表点である住所代表点をその住所情報と関連付けて保持させる段階である。
【０１０９】
＜まとめ＞
これらにより，地図と公図との各々の境界線を重畳して表示することに加えて，各境界線にて画された地図上の位置の地番や住所を代表点として保持することによりデータ容量の削減をすることができる。
【実施例６】
【０１１０】
本実施例は，実施例５の特徴に加えて，筆情報付地図提供装置が，保持されている代表点をレイヤに重畳表示することを特徴とする。また，それを実現するため，筆情報付地図提供方法及び計算機である筆情報付地図提供装置に読取り実行可能に記述した筆情報付地図提供装置の動作プログラムを提供する。
【０１１１】
以下，本実施例における筆情報付地図提供装置について，機能的構成，ハードウェア構成及び処理の流れについて，順に説明する。
【０１１２】
＜機能的構成＞
図１２は，本実施例における筆情報付地図提供装置の機能的構成を示す図である。本実施例における筆情報付地図提供装置は，準公図レイヤ保持部（１２０１）と地図レイヤ保持部（１２０２）と重畳表示部（１２０３）と送受信部（１２０４）と筆代表点保持部（１２０５）と住所代表点保持部（１２０６）と代表点表示部（１２０７）を有する。以下，機能的構成については，具体的に各機能の内容につき説明する。なお，代表点表示部を除く各機能については，実施例１と同様であるため，代表点表示部の機能に限定して説明する。
【０１１３】
「代表点表示部」とは，保持されている代表点をレイヤに重畳表示する機能である。
【０１１４】
図３９は，本実施例における筆情報付地図提供装置の表示指定画面の一例を示す図である。表示指定として，「地図レイヤ」のうち「代表点あり」「代表点なし」のチェックボックスが存在し,「準公図レイヤ」のうち「代表点あり」「代表点なし」のチェックボックスが存在する。それらのチェックボックスにチェックを入れることにより，表示される図を指定することになる。また，「地図レイヤ」「準公図レイヤ」のチェックボックスの両方にチェックを入れることにより，地図と準公図の両方が重畳表示された図を選択することができる。例えば，「準公図レイヤ」と「地図レイヤ」のいずれも「代表点あり」にチェックを入れた場合には，地図上の住所と準公図上の地番の各々の代表点を含んだ図面が重畳表示されることとなる。
【０１１５】
＜ハードウェア構成＞
図１３は，本実施例における筆情報付地図提供装置のハードウェア構成を示す図である。この図にあるように，本実施例における筆情報付地図提供装置は，各種演算処理を行う「ＣＰＵ（中央演算装置）」（１３０１）と，「主メモリ」（１３０２）と，を備えている。また，所定の情報を保持する「ＨＤＤ」（１３０３）や，タブレット端末（１３０６）と情報の送受信を行う「ネットワーク・Ｉ／Ｆ（インターフェース）」（１３０４）を備えている。そして，それらが「システムバス」（１３０５）などのデータ通信経路によって相互に接続され，情報の送受信や処理を行う。
【０１１６】
ここに「主メモリ」は，各種処理を行うプログラムを「ＣＰＵ」に実行させるために読み出すと同時に，そのプログラムの作業領域でもあるワーク領域を提供する。また，この「主メモリ」や「ＨＤＤ」にはそれぞれ複数のアドレスが割り当てられており，「ＣＰＵ」で実行されるプログラムは，そのアドレスを特定しアクセスすることで相互にデータのやりとりを行い，処理を行うことが可能になっている。本実施例において「主メモリ」に格納されているプログラムは，実施例５と同様の準公図レイヤ保持プログラムと地図レイヤ保持プログラムと重畳表示プログラムと送受信プログラムと筆代表点保持プログラムと住所代表点保持プログラムに加えて，代表点表示プログラムである。
【０１１７】
また，「主メモリ」と「ＨＤＤ」には，実施例５と同様に，公図を基本に編纂された共通座標上の編纂後筆界付公図である準公図レイヤ，住所境界付の共通座標上の地図レイヤ，共通座標を用いて保持されているレイヤを重畳表示する場合の表示情報，各筆の地番，各筆の共通座標上での代表点である筆代表点，住所情報，各住所の共通座標上での代表点である住所代表点などが格納されている。
【０１１８】
「ＣＰＵ」は，「主メモリ」に格納されている準公図レイヤ保持プログラムを実行して，公図を基本に編纂された共通座標上の編纂後筆界付公図である準公図レイヤを「主メモリ」と「ＨＤＤ」に格納する。また，「主メモリ」に格納されている地図レイヤ保持プログラムを実行して，住所境界付の共通座標上の地図レイヤを「主メモリ」と「ＨＤＤ」に格納する。また，「主メモリ」に格納されている筆代表点保持プログラムを実行して，各筆の地番及び各筆の共通座標上での代表点である筆代表点を関連付けて「主メモリ」と「ＨＤＤ」に格納する。さらに，「主メモリ」に格納されている住所代表点保持プログラムを実行して，住所情報及び各住所の共通座標上での代表点である住所代表点を関連付けて「主メモリ」と「ＨＤＤ」に格納する。そして，「主メモリ」に格納されている重畳表示プログラムを実行して，格納されている準公図レイヤと地図レイヤと筆代表点と住所代表点を共通座標を用いて重畳表示する。そして，「主メモリ」に格納されている送受信プログラムを実行して，「ネットワーク・インターフェース」を通じてタブレット端末装置に対して，準公図レイヤと地図レイヤと筆代表点と住所代表点を共通座標を用いて重畳表示した表示情報を送信する。
【０１１９】
＜処理の流れ＞
図１４は，本実施例における筆情報付地図提供装置を利用した場合の処理の流れを示す図である。図１４にあるように，準公図レイヤ作成ステップ（Ｓ１４０１）と，地図レイヤ作成ステップ（Ｓ１４０２）と，筆代表点保持ステップ（Ｓ１４０３）と，住所代表点保持ステップ（Ｓ１４０４）と，重畳表示ステップ（Ｓ１４０１）と，代表点表示ステップ（Ｓ１４０２）と，送受信ステップ（Ｓ１４０３）からなる処理方法である。これらの処理方法は，公図を基本に編纂された共通座標上の編纂後筆界付公図である準公図レイヤを保持する準公図レイヤ保持部と，住所境界付の共通座標上の地図レイヤを保持する地図レイヤ保持部と，各筆の共通座標上での代表点である筆代表点をその筆の地番と関連付けて保持する筆代表点保持部と，各住所の共通座標上での代表点である住所代表点をその住所情報と関連付けて保持する住所代表点保持部とを有する筆情報付地図提供装置によって実行されるものである。
【０１２０】
「準公図レイヤ作成ステップ」と「地図レイヤ作成ステップ」と「重畳表示ステップ」と「送受信ステップ」の内容は，実施例１で述べたとおりである。また，「筆代表点保持ステップ」と「住所代表点保持ステップ」の内容は，実施例５で述べたとおりである。
【０１２１】
「筆代表点表示ステップ」とは，保持されている代表点をレイヤに重畳表示する段階である。
【０１２２】
＜まとめ＞
これらにより，地図と公図との各々の境界線を重畳して表示することに加えて，各境界線にて画された地図上の位置の地番や住所を代表点として保持することすることでデータ容量を削減した上，代表点を地図上で一覧することができる。
【実施例７】
【０１２３】
本実施例は，実施例６の特徴に加えて，筆情報付地図提供装置が，検索用住所情報の入力を受け付け，受付けた検索用住所情報と関連付けて保持されている住所代表点を取得し，取得した住所代表点が最も近い住所代表点となる筆代表点に関連付けられている地番を取得して出力することを特徴とする。また，それを実現するため，筆情報付地図提供方法を提供する。
【０１２４】
以下，本実施例における筆情報付地図提供装置について，機能的構成，ハードウェア構成及び処理の流れについて，順に説明する。
【０１２５】
＜機能的構成＞
図１５は，本実施例における筆情報付地図提供装置の機能的構成を示す図である。本実施例における筆情報付地図提供装置は，準公図レイヤ保持部（１５０１）と地図レイヤ保持部（１５０２）と重畳表示部（１５０３）と送受信部（１５０４）と筆代表点保持部（１５０５）と住所代表点保持部（１５０６）と代表点表示部（１５０７）と検索用住所情報入力受付部（１５０８）と住所代表点取得部（１５０９）と地番取得部（１５１０）と地番出力部（１５１１）を有する。以下，機能的構成については，具体的に各機能の内容につき説明する。なお，検索用住所情報入力受付部と住所代表点取得部と地番取得部と地番出力部を除く各機能については，実施例１と同様であるため，検索用住所情報入力受付部と住所代表点取得部と地番取得部と地番出力部の機能に限定して説明する。
【０１２６】
「検索用住所情報入力受付部」とは，検索用住所情報の入力を受け付ける機能である。
【０１２７】
「住所代表点取得部」とは，受付けた検索用住所情報と関連付けて保持されている住所代表点を取得する機能である。
【０１２８】
「地番取得部」とは，取得した住所代表点が最も近い住所代表点となる筆代表点に関連付けられている地番を取得する機能である。
【０１２９】
「地番出力部」とは，取得した地番を出力する機能である。
【０１３０】
図４０は，本実施例における筆情報付地図提供装置の表示指定画面の一例を示す図である。「住所」の欄に直接入力する方法，「都道府県」「市町村」についてそれぞれ候補から選択する方法がある。後者の場合には，市町村以降を入力又は候補から選択するという方法が考えられる。これらを選択又は入力して「ＧＯ」を選択すれば，入力した住所に対応する地番が出力されるという具合である。
【０１３１】
＜ハードウェア構成＞
図１６は，本実施例における筆情報付地図提供装置のハードウェア構成を示す図である。この図にあるように，本実施例における筆情報付地図提供装置は，各種演算処理を行う「ＣＰＵ（中央演算装置）」（１６０１）と，「主メモリ」（１６０２）と，を備えている。また，所定の情報を保持する「ＨＤＤ」（１６０３）や，タブレット端末（１６０６）と情報の送受信を行う「ネットワーク・Ｉ／Ｆ（インターフェース）」（１６０４）を備えている。そして，それらが「システムバス」（１６０５）などのデータ通信経路によって相互に接続され，情報の送受信や処理を行う。
【０１３２】
ここに「主メモリ」は，各種処理を行うプログラムを「ＣＰＵ」に実行させるために読み出すと同時に，そのプログラムの作業領域でもあるワーク領域を提供する。また，この「主メモリ」や「ＨＤＤ」にはそれぞれ複数のアドレスが割り当てられており，「ＣＰＵ」で実行されるプログラムは，そのアドレスを特定しアクセスすることで相互にデータのやりとりを行い，処理を行うことが可能になっている。本実施例において「主メモリ」に格納されているプログラムは，実施例６と同様の準公図レイヤ保持プログラムと地図レイヤ保持プログラムと重畳表示プログラムと送受信プログラムと筆代表点保持プログラムと住所代表点保持プログラムと代表点表示プログラムに加えて，検索用地番入力受付プログラムと筆代表点取得プログラムと住所取得プログラムと住所出力プログラムである。
【０１３３】
また，「主メモリ」と「ＨＤＤ」には，実施例６と同様に，公図を基本に編纂された共通座標上の編纂後筆界付公図である準公図レイヤ，住所境界付の共通座標上の地図レイヤ，共通座標を用いて保持されているレイヤを重畳表示する場合の表示情報，各筆の地番，各筆の共通座標上での代表点である筆代表点，住所情報，各住所の共通座標上での代表点である住所代表点などが格納されているほか，検索用地番が格納されている
【０１３４】
「ＣＰＵ」は，「主メモリ」に格納されている準公図レイヤ保持プログラムを実行して，公図を基本に編纂された共通座標上の編纂後筆界付公図である準公図レイヤを「主メモリ」と「ＨＤＤ」に格納する。また，「主メモリ」に格納されている地図レイヤ保持プログラムを実行して，住所境界付の共通座標上の地図レイヤを「主メモリ」と「ＨＤＤ」に格納する。また，「主メモリ」に格納されている筆代表点保持プログラムを実行して，各筆の地番及び各筆の共通座標上での代表点である筆代表点を関連付けて「主メモリ」と「ＨＤＤ」に格納する。さらに，「主メモリ」に格納されている住所代表点保持プログラムを実行して，住所情報及び各住所の共通座標上での代表点である住所代表点を関連付けて「主メモリ」と「ＨＤＤ」に格納する。そして，「主メモリ」に格納されている重畳表示プログラムを実行して，格納されている準公図レイヤと地図レイヤと筆代表点と住所代表点を共通座標を用いて重畳表示する。そして，「主メモリ」に格納されている送受信プログラムを実行して，「ネットワーク・インターフェース」を通じてタブレット端末装置に対して，準公図レイヤと地図レイヤと筆代表点と住所代表点を共通座標を用いて重畳表示した表示情報を送信する。これらに加えて，「主メモリ」に格納されている検索用地番入力プログラムを実行して，「ネットワーク・インターフェース」を通じてタブレット端末装置から，検索用地番の入力を受け付ける。次に，「主メモリ」に格納されている筆代表点取得プログラムを実行して，格納されている筆代表点の中から，受付けた検索用地番と関連付けて保持されている筆代表点を取得する。そして，「主メモリ」に格納されている住所取得プログラムを実行して，取得した筆代表点が最も近い筆代表点となる住所代表点に関連付けられている住所を取得する。その後，「主メモリ」に格納されている住所出力プログラムを実行して，取得した住所を出力する。
【０１３５】
＜処理の流れ＞
図１７は，本実施例における筆情報付地図提供装置を利用した場合の処理の流れを示す図である。図１７にあるように，準公図レイヤ作成ステップ（Ｓ１７０１）と，地図レイヤ作成ステップ（Ｓ１７０２）と，筆代表点保持ステップ（Ｓ１７０３）と，住所代表点保持ステップ（Ｓ１７０４）と，重畳表示ステップ（Ｓ１７０５）と，代表点表示ステップ（Ｓ１７０６）と，送受信ステップ（Ｓ１７０７）と，検索用地番入力受付ステップ（Ｓ１７０８）と，筆代表点取得ステップ（Ｓ１７０９）と，住所取得ステップ（Ｓ１７１０）と，住所出力ステップ（Ｓ１７１１）とからなる処理方法である。これらの処理方法は，公図を基本に編纂された共通座標上の編纂後筆界付公図である準公図レイヤを保持する準公図レイヤ保持部と，住所境界付の共通座標上の地図レイヤを保持する地図レイヤ保持部と，各筆の共通座標上での代表点である筆代表点をその筆の地番と関連付けて保持する筆代表点保持部と，各住所の共通座標上での代表点である住所代表点をその住所情報と関連付けて保持する住所代表点保持部とを有する筆情報付地図提供装置によって実行されるものである。
【０１３６】
「準公図レイヤ作成ステップ」と「地図レイヤ作成ステップ」と「重畳表示ステップ」と「送受信ステップ」の内容は，実施例１で述べたとおりである。また，「筆代表点保持ステップ」と「住所代表点保持ステップ」の内容は，実施例５で述べたとおりである。「代表点表示ステップ」の内容は，実施例６で述べたとおりである。
【０１３７】
「検索用地番入力受付ステップ」とは，検索用地番の入力を受け付ける段階である。
【０１３８】
「筆代表点取得ステップ」とは，受付けた地番と関連付けて保持されている筆代表点を取得する段階である。
【０１３９】
「住所取得ステップ」とは，取得した筆代表点から最も近い住所代表点に関連付けられている住所を取得する段階である。
【０１４０】
「住所出力ステップ」とは，取得した住所を出力する段階である。
【０１４１】
＜まとめ＞
これらにより，地図と公図との各々の境界線を重畳して表示することに加えて，地番から住所を検索することができるようになる。
【実施例８】
【０１４２】
本実施例は，実施例６又は７の特徴に加えて，筆情報付地図提供装置が，検索用地番の入力を受け付け，受付けた地番と関連付けて保持されている筆代表点を取得し，取得した筆代表点から最も近い住所代表点に関連付けられている住所を取得して出力することを特徴とする。また，それを実現するため，筆情報付地図提供方法を提供する。
【０１４３】
以下，本実施例における筆情報付地図提供装置について，機能的構成，ハードウェア構成及び処理の流れについて，順に説明する。
【０１４４】
＜機能的構成＞
図１８は，本実施例における筆情報付地図提供装置の機能的構成を示す図である。本実施例における筆情報付地図提供装置は，準公図レイヤ保持部（１８０１）と地図レイヤ保持部（１８０２）と重畳表示部（１８０３）と送受信部（１８０４）と筆代表点保持部（１８０５）と住所代表点保持部（１８０６）と代表点表示部（１８０７）と検索用地番入力受付部（１８０８）と筆代表点取得部（１８０９）と住所取得部（１８１０）と住所出力部（１８１１）を有する。以下，機能的構成については，具体的に各機能の内容につき説明する。なお，検索用地番入力受付部と筆代表点取得部と住所取得部と住所出力部を除く各機能については，実施例１と同様であるため，検索用地番入力受付部と筆代表点取得部と住所取得部と住所出力部の機能に限定して説明する。
【０１４５】
「検索用地番入力受付部」とは，検索用地番の入力を受け付ける機能である。
【０１４６】
「筆代表点取得部」とは，受付けた地番と関連付けて保持されている筆代表点を取得する機能である。
【０１４７】
「住所取得部」とは，取得した筆代表点から最も近い住所代表点に関連付けられている住所を取得する機能である。
【０１４８】
「住所出力部」とは，取得した住所を出力する機能である。
【０１４９】
図４１は，本実施例における筆情報付地図提供装置の表示指定画面の一例を示す図である。「地番入力」の欄に直接入力する方法，「地番上位Ａ」「地番中位Ｂ」「地番下位Ｃ」についてそれぞれ候補から選択する方法がある。これらを選択又は入力して「ＧＯ」を選択すれば，入力した地番に対応する住所が出力されるという具合である。
【０１５０】
＜ハードウェア構成＞
図１９は，本実施例における筆情報付地図提供装置のハードウェア構成を示す図である。この図にあるように，本実施例における筆情報付地図提供装置は，各種演算処理を行う「ＣＰＵ（中央演算装置）」（１９０１）と，「主メモリ」（１９０２）と，を備えている。また，所定の情報を保持する「ＨＤＤ」（１９０３）や，タブレット端末（１９０６）と情報の送受信を行う「ネットワーク・Ｉ／Ｆ（インターフェース）」（１９０４）を備えている。そして，それらが「システムバス」（１９０５）などのデータ通信経路によって相互に接続され，情報の送受信や処理を行う。
【０１５１】
ここに「主メモリ」は，各種処理を行うプログラムを「ＣＰＵ」に実行させるために読み出すと同時に，そのプログラムの作業領域でもあるワーク領域を提供する。また，この「主メモリ」や「ＨＤＤ」にはそれぞれ複数のアドレスが割り当てられており，「ＣＰＵ」で実行されるプログラムは，そのアドレスを特定しアクセスすることで相互にデータのやりとりを行い，処理を行うことが可能になっている。本実施例において「主メモリ」に格納されているプログラムは，実施例６と同様の準公図レイヤ保持プログラムと地図レイヤ保持プログラムと重畳表示プログラムと送受信プログラムと筆代表点保持プログラムと住所代表点保持プログラムと代表点表示プログラムに加えて，検索用地番入力受付プログラムと筆代表点取得プログラムと住所取得プログラムと住所出力プログラムである。
【０１５２】
また，「主メモリ」と「ＨＤＤ」には，実施例６と同様に，公図を基本に編纂された共通座標上の編纂後筆界付公図である準公図レイヤ，住所境界付の共通座標上の地図レイヤ，共通座標を用いて保持されているレイヤを重畳表示する場合の表示情報，各筆の地番，各筆の共通座標上での代表点である筆代表点，住所情報，各住所の共通座標上での代表点である住所代表点などが格納されているほか，検索用住所情報が格納されている
【０１５３】
「ＣＰＵ」は，「主メモリ」に格納されている準公図レイヤ保持プログラムを実行して，公図を基本に編纂された共通座標上の編纂後筆界付公図である準公図レイヤを「主メモリ」と「ＨＤＤ」に格納する。また，「主メモリ」に格納されている地図レイヤ保持プログラムを実行して，住所境界付の共通座標上の地図レイヤを「主メモリ」と「ＨＤＤ」に格納する。また，「主メモリ」に格納されている筆代表点保持プログラムを実行して，各筆の地番及び各筆の共通座標上での代表点である筆代表点を関連付けて「主メモリ」と「ＨＤＤ」に格納する。さらに，「主メモリ」に格納されている住所代表点保持プログラムを実行して，住所情報及び各住所の共通座標上での代表点である住所代表点を関連付けて「主メモリ」と「ＨＤＤ」に格納する。そして，「主メモリ」に格納されている重畳表示プログラムを実行して，格納されている準公図レイヤと地図レイヤと筆代表点と住所代表点を共通座標を用いて重畳表示する。そして，「主メモリ」に格納されている送受信プログラムを実行して，「ネットワーク・インターフェース」を通じてタブレット端末装置に対して，準公図レイヤと地図レイヤと筆代表点と住所代表点を共通座標を用いて重畳表示した表示情報を送信する。これらに加えて，「主メモリ」に格納されている検索用住所情報入力プログラムを実行して，「ネットワーク・インターフェース」を通じてタブレット端末装置から，検索用住所情報の入力を受け付ける。次に，「主メモリ」に格納されている住所代表点取得プログラムを実行して，格納されている住所代表点の中から，受付けた検索用住所情報と関連付けて保持されている住所代表点を取得する。そして，「主メモリ」に格納されている地番取得プログラムを実行して，取得した住所代表点が最も近い住所代表点となる筆代表点に関連付けられている地番を取得する。その後，「主メモリ」に格納されている地番出力プログラムを実行して，取得した地番を出力する。
【０１５４】
＜処理の流れ＞
図２０は，本実施例における筆情報付地図提供装置を利用した場合の処理の流れを示す図である。図２０にあるように，準公図レイヤ作成ステップ（Ｓ２００１）と，地図レイヤ作成ステップ（Ｓ２００２）と，筆代表点保持ステップ（Ｓ２００３）と，住所代表点保持ステップ（Ｓ２００４）と，重畳表示ステップ（Ｓ２００５）と，代表点表示ステップ（Ｓ２００６）と，送受信ステップ（Ｓ２００７）と，検索用住所情報入力受付ステップ（Ｓ２００８）と，住所代表点取得ステップ（Ｓ２００９）と，地番取得ステップ（Ｓ２０１０）と，地番出力ステップ（Ｓ２０１１）とからなる処理方法である。これらの処理方法は，公図を基本に編纂された共通座標上の編纂後筆界付公図である準公図レイヤを保持する準公図レイヤ保持部と，住所境界付の共通座標上の地図レイヤを保持する地図レイヤ保持部と，各筆の共通座標上での代表点である筆代表点をその筆の地番と関連付けて保持する筆代表点保持部と，各住所の共通座標上での代表点である住所代表点をその住所情報と関連付けて保持する住所代表点保持部とを有する筆情報付地図提供装置によって実行されるものである。
【０１５５】
「準公図レイヤ作成ステップ」と「地図レイヤ作成ステップ」と「重畳表示ステップ」と「送受信ステップ」の内容は，実施例１で述べたとおりである。また，「筆代表点保持ステップ」と「住所代表点保持ステップ」の内容は，実施例５で述べたとおりである。「代表点表示ステップ」の内容は，実施例６で述べたとおりである。
【０１５６】
「検索用住所情報入力受付ステップ」とは，検索用住所情報の入力を受け付ける段階である。
【０１５７】
「住所代表点取得ステップ」とは，受付けた検索用住所情報と関連付けて保持されている住所代表点を取得する段階である。
【０１５８】
「地番取得ステップ」とは，取得した住所代表点が最も近い住所代表点となる筆代表点に関連付けられている地番を取得する段階である。
【０１５９】
「地番出力ステップ」とは，取得した地番を出力する段階である。
【０１６０】
＜まとめ＞
これらにより，地図と公図との各々の境界線を重畳して表示することに加えて，住所から地番を検索することができるようになる。
【実施例９】
【０１６１】
本実施例における発明は，実施例１から８のいずれか一の特徴を備えた筆情報付地図提供装置と，その筆情報付地図提供装置と情報を受送信することで受信した表示情報を表示するタブレット装置と，からなる筆情報付地図提供システムである。以下では，筆情報付地図提供装置が実施例１の機能を備えていることを前提として説明する。
【０１６２】
以下，本実施例における筆情報付地図提供システムについて，機能的構成，ハードウェア構成及び処理の流れについて，順に説明する。なお，筆情報付地図提供装置の部分については実施例１から８と同様であるから，主として，タブレット装置の構成に限定して説明する。
【０１６３】
＜機能的構成＞
図２１は，本実施例における筆情報付地図提供システムの機能的構成を示す図である。本実施例における筆情報付地図提供システムは，筆情報付地図提供装置（２１０１）とタブレット端末装置（２１０２）とからなる。そして，筆情報付地図提供装置は，図示しないが準公図レイヤ保持部と地図レイヤ保持部と重畳表示部と送受信部（２１０３）を有する。また，タブレット装置は，受送信部（２１０４）と表示部（２１０５）を有する。なお，タブレット装置における受送信部と表示部を除く各機能については，実施例１と同様であるため，タブレット装置における送受信部と表示部の機能に限定して説明する。
【０１６４】
タブレット装置における「受送信部」は，筆情報付地図提供装置の送受信部と受送信する機能である。
【０１６５】
「表示部」は，表示情報を表示する機能である。
【０１６６】
＜ハードウェア構成＞
図２２は，本実施例における筆情報付地図提供システムのハードウェア構成を示す図である。筆情報付地図提供システムは，筆情報付地図提供装置とタブレット装置とからなる。このうち，筆情報付地図提供装置については，実施例１で述べたものと同様である。以下では，タブレット装置のハードウェア構成を説明する。
【０１６７】
タブレット装置は，各種演算処理を行う「ＣＰＵ（中央演算装置）」（２２０１）と，「主メモリ」（２２０２）と，を備えている。また，所定の情報を保持する「ＨＤＤ」（２２０３）や，筆情報付地図提供装置（２２０６）と情報の受送信を行う「ネットワーク・Ｉ／Ｆ（インターフェース）」（２２０４）を備えている。そして，それらが「システムバス」（２２０５）などのデータ通信経路によって相互に接続され，情報の送受信や処理を行う。
【０１６８】
ここに「主メモリ」は，各種処理を行うプログラムを「ＣＰＵ」に実行させるために読み出すと同時に，そのプログラムの作業領域でもあるワーク領域を提供する。また，この「主メモリ」や「ＨＤＤ」にはそれぞれ複数のアドレスが割り当てられており，「ＣＰＵ」で実行されるプログラムは，そのアドレスを特定しアクセスすることで相互にデータのやりとりを行い，処理を行うことが可能になっている。
【０１６９】
本実施例において「主メモリ」に格納されているプログラムは，表示プログラムと送受信プログラムである。「ＣＰＵ」は，「主メモリ」に格納されている送受信プログラムを実行して，「ネットワーク・インターフェース」を通じて筆情報付地図提供装置から表示情報を取得する。また，「ＣＰＵ」は，「主メモリ」に格納されている表示プログラムを用いて，取得した表示情報を表示する。
【０１７０】
＜処理の流れ＞
図２３は，本実施例における筆情報付地図提供システムを利用した場合の処理の流れを示す図である。図２３にあるように，準公図レイヤ作成ステップ（Ｓ２３０１）と，地図レイヤ作成ステップ（Ｓ２３０２）と，重畳表示ステップ（Ｓ２３０３）と，筆情報付地図提供装置における送受信ステップ（Ｓ２３０４）と，タブレット装置における受送信ステップ（Ｓ２３０５）と，表示ステップ（Ｓ２３０６）からなる処理方法である。これらの処理方法は，筆情報付地図提供装置が，公図を基本に編纂された共通座標上の編纂後筆界付公図である準公図レイヤを保持する準公図レイヤ保持部と，住所境界付の共通座標上の地図レイヤを保持する地図レイヤ保持部とを有する場合において実行されるものである。なお，図２３のうち，タブレット装置における受送信ステップと表示ステップを除く各ステップは，実施例１と同様である。以下では，タブレット装置における受送信ステップと表示ステップについて説明する。
【０１７１】
タブレット装置における「受送信ステップ」とは，情報付地図提供装置の送受信部と受送信する段階である。
【０１７２】
「表示ステップ」とは，表示情報を表示する段階である。
【０１７３】
＜まとめ＞
これにより，ユーザに対して，表示情報に表示することができる。
【実施例１０】
【０１７４】
本実施例における発明は，実施例９の特徴に加えて，タブレット装置が，表示された筆代表点又は／及び住所代表点を選択し，選択した代表点に関連付けて現地情報を記録保持し，記録保持される現地情報を受送信部から送信させることを特徴とする筆情報付地図提供システムである。
【０１７５】
以下，本実施例における筆情報付地図提供システムについて，機能的構成，ハードウェア構成及び処理の流れについて，順に説明する。なお，筆情報付地図提供装置の部分については実施例１から８と同様であるから，主として，タブレット装置の構成に限定して説明する。
【０１７６】
＜機能的構成＞
図２４は，本実施例における筆情報付地図提供システムの機能的構成を示す図である。本実施例における筆情報付地図提供システムは，筆情報付地図提供装置（２４０１）とタブレット端末装置（２４０２）とからなる。そして，筆情報付地図提供装置は，図示しないが準公図レイヤ保持部と地図レイヤ保持部と重畳表示部と送受信部（２４０３）を有する。また，タブレット装置は，受送信部（２４０４）と表示部（２４０５）と代表点選択部（２４０６）と現地情報記録保持部（２４０７）と現地情報報告部（２４０８）を有する。なお，タブレット装置における代表点選択部と現地情報記録保持部と現地情報報告部を除く各機能については，実施例９と同様であるため，タブレット装置における代表点選択部と現地情報記録保持部と現地情報報告部の機能に限定して説明する。
【０１７７】
「代表点選択部」は，タブレット装置の表示部に表示された筆代表点又は／及び住所代表点を選択する機能である。
【０１７８】
「現地情報記録保持部」は，選択した代表点に関連付けて，静止画情報，動画情報，音声情報，テキスト情報のいずれか一以上である現地情報を記録保持する機能である。
【０１７９】
「現地情報報告部」は，記録保持される現地情報を受送信部から送信させる機能である。
【０１８０】
図４２は，本実施例におけるタブレット装置の表示画面の一例を示す図である。「選択」の欄にて現地情報の対象になっている住所又は地番を選択する。そして，「記入」欄にて，報告事項を入力し，その上で「ＧＯ」を選択することにより，筆情報付地図提供装置に報告内容が送信されるという具合である。
【０１８１】
＜ハードウェア構成＞
図２５は，本実施例における筆情報付地図提供システムのハードウェア構成を示す図である。筆情報付地図提供システムは，筆情報付地図提供装置とタブレット装置とからなる。このうち，筆情報付地図提供装置については，実施例１で述べたものと同様である。以下では，タブレット装置のハードウェア構成を説明する。
【０１８２】
タブレット装置は，各種演算処理を行う「ＣＰＵ（中央演算装置）」（２５０１）と，「主メモリ」（２５０２）と，を備えている。また，所定の情報を保持する「ＨＤＤ」（２５０３）や，筆情報付地図提供装置（２５０６）と情報の受送信を行う「ネットワーク・Ｉ／Ｆ（インターフェース）」（２５０４）を備えている。そして，それらが「システムバス」（２５０５）などのデータ通信経路によって相互に接続され，情報の受送信や処理を行う。
【０１８３】
ここに「主メモリ」は，各種処理を行うプログラムを「ＣＰＵ」に実行させるために読み出すと同時に，そのプログラムの作業領域でもあるワーク領域を提供する。また，この「主メモリ」や「ＨＤＤ」にはそれぞれ複数のアドレスが割り当てられており，「ＣＰＵ」で実行されるプログラムは，そのアドレスを特定しアクセスすることで相互にデータのやりとりを行い，処理を行うことが可能になっている。
【０１８４】
本実施例において「主メモリ」に格納されているプログラムは，表示プログラムと受送信プログラムと代表点選択プログラムと現地情報記録保持プログラムと現地情報報告プログラムである。「ＣＰＵ」は，「主メモリ」に格納されている受送信プログラムを実行して，「ネットワーク・インターフェース」を通じて筆情報付地図提供装置から表示情報を取得する。また，「ＣＰＵ」は，「主メモリ」に格納されている表示プログラムを用いて，取得した表示情報を表示する。次に，「ＣＰＵ」は，「主メモリ」に格納されている代表点選択プログラムを実行して，タブレット装置の表示部に表示された筆代表点又は／及び住所代表点を選択する。次に，「ＣＰＵ」は，「主メモリ」に格納されている現地情報記録保持プログラムを実行して，選択した代表点に関連付けて，静止画情報，動画情報，音声情報，テキスト情報のいずれか一以上である現地情報を記録保持する。次に，「ＣＰＵ」は，「主メモリ」に格納されている現地情報報告プログラムを実行して，記録保持される現地情報を受送信部から送信させる。
【０１８５】
＜処理の流れ＞
図２６は，本実施例における筆情報付地図提供システムを利用した場合の処理の流れを示す図である。図２６にあるように，準公図レイヤ作成ステップ（Ｓ２６０１）と，地図レイヤ作成ステップ（Ｓ２６０２）と，重畳表示ステップ（Ｓ２６０３）と，筆情報付地図提供装置における受送信ステップ（Ｓ２６０４）と，タブレット装置における受送信ステップ（Ｓ２６０５）と，表示ステップ（Ｓ２６０６）と，代表点選択ステップ（Ｓ２６０７）と，現地情報報告ステップ（Ｓ２６０８）からなる処理方法である。これらの処理方法は，筆情報付地図提供装置が，公図を基本に編纂された共通座標上の編纂後筆界付公図である準公図レイヤを保持する準公図レイヤ保持部と，住所境界付の共通座標上の地図レイヤを保持する地図レイヤ保持部とを有し，タブレット装置が，選択した代表点に関連付けて，静止画情報，動画情報，音声情報，テキスト情報のいずれか一以上である現地情報を記録保持する現地情報記録保持部を有する場合において実行されるものである。なお，図２６のうち，代表点選択ステップと現地情報報告ステップを除く各ステップは，実施例１及び実施例９と同様である。以下では，代表点選択ステップと現地情報報告ステップについて説明する。
【０１８６】
「代表点選択ステップ」とは，タブレット装置の表示部に表示された筆代表点又は／及び住所代表点を選択する段階である。
【０１８７】
「表示ステップ」とは，記録保持される現地情報を受送信部から送信させる段階である。
【０１８８】
＜まとめ＞
これにより，タブレット装置で記録した現地情報を筆情報付地図提供装置に送信することができる。
【実施例１１】
【０１８９】
本実施例における発明は，実施例１０の特徴に加えて，筆情報付地図提供装置が，タブレット装置から受信した現地情報を取得して保持することを特徴とする筆情報付地図提供システムである。
【０１９０】
以下，本実施例における筆情報付地図提供システムについて，機能的構成，ハードウェア構成及び処理の流れについて，順に説明する。なお，タブレット装置については実施例１０と同様であるから，主として，筆情報付地図提供装置の構成に限定して説明する。
【０１９１】
＜機能的構成＞
図２７は，本実施例における筆情報付地図提供システムの機能的構成を示す図である。本実施例における筆情報付地図提供システムは，筆情報付地図提供装置（２７０１）とタブレット端末装置（２７０２）とからなる。そして，タブレット装置は，図示しないが受送信部（２７０３）と表示部と代表点選択部と現地情報記録保持部と現地情報報告部を有する。また，筆情報付地図提供装置は，準公図レイヤ保持部（２７０４）と地図レイヤ保持部（２７０５）と重畳表示部（２７０６）と送受信部（２７０７）と現地情報取得部（２７０８）と現地情報保持部（２７０９）を有する。なお，筆情報付地図提供装置における現地情報取得部と現地情報保持部を除く各機能については，実施例１０と同様であるため，現地情報取得部と現地情報保持部の機能に限定して説明する。
【０１９２】
「現地情報取得部」は，タブレット装置の受送信部から受信した現地情報を取得する機能である。
【０１９３】
「現地情報保持部」は，取得した現地情報を保持する機能である。
【０１９４】
＜ハードウェア構成＞
図２８は，本実施例における筆情報付地図提供システムのハードウェア構成を示す図である。筆情報付地図提供システムは，筆情報付地図提供装置とタブレット装置とからなる。このうち，タブレット装置については，実施例１０で述べたものと同様である。以下では，筆情報付地図提供装置のハードウェア構成を説明する。
【０１９５】
タブレット装置は，各種演算処理を行う「ＣＰＵ（中央演算装置）」（２８０１）と，「主メモリ」（２８０２）と，を備えている。また，所定の情報を保持する「ＨＤＤ」（２８０３）や，タブレット装置（２８０６）と情報の送受信を行う「ネットワーク・Ｉ／Ｆ（インターフェース）」（２８０４）を備えている。そして，それらが「システムバス」（２８０５）などのデータ通信経路によって相互に接続され，情報の送受信や処理を行う。
【０１９６】
ここに「主メモリ」は，各種処理を行うプログラムを「ＣＰＵ」に実行させるために読み出すと同時に，そのプログラムの作業領域でもあるワーク領域を提供する。また，この「主メモリ」や「ＨＤＤ」にはそれぞれ複数のアドレスが割り当てられており，「ＣＰＵ」で実行されるプログラムは，そのアドレスを特定しアクセスすることで相互にデータのやりとりを行い，処理を行うことが可能になっている。
【０１９７】
本実施例において「主メモリ」に格納されているプログラムは，実施例１と同様の準公図レイヤ保持プログラムと地図レイヤ保持プログラムと重畳表示プログラムと送受信プログラムに加えて，現地情報取得プログラムと現地情報保持プログラムである。
【０１９８】
また，「主メモリ」と「ＨＤＤ」には，実施例１と同様に，公図を基本に編纂された共通座標上の編纂後筆界付公図である準公図レイヤ，住所境界付の共通座標上の地図レイヤ，共通座標を用いて保持されているレイヤを重畳表示する場合の表示情報などが格納されている。さらに本実施例では，選択した代表点に関連付けられた，静止画情報，動画情報，音声情報，テキスト情報のいずれか一以上である現地情報が格納されている。
【０１９９】
「ＣＰＵ」は，「主メモリ」に格納されている準公図レイヤ保持プログラムを実行して，公図を基本に編纂された共通座標上の編纂後筆界付公図である準公図レイヤを「主メモリ」と「ＨＤＤ」に格納する。また，「主メモリ」に格納されている地図レイヤ保持プログラムを実行して，住所境界付の共通座標上の地図レイヤを「主メモリ」と「ＨＤＤ」に格納する。そして，「主メモリ」に格納されている重畳表示プログラムを実行して，格納されている準公図レイヤと地図レイヤを共通座標を用いて重畳表示する。そして，「主メモリ」に格納されている送受信プログラムを実行して，「ネットワーク・インターフェース」を通じてタブレット端末装置に対して，準公図レイヤと地図レイヤを共通座標を用いて重畳表示した表示情報を送信する。また，「主メモリ」に格納されている現地情報取得プログラムを実行して，「ネットワーク・インターフェース」を通じてタブレット端末装置から，現地情報を取得する。そして，「主メモリ」に格納されている現地情報保持プログラムを実行して，現地情報を格納する。
【０２００】
＜処理の流れ＞
図２９は，本実施例における筆情報付地図提供システムを利用した場合の処理の流れを示す図である。図２９にあるように，準公図レイヤ作成ステップ（Ｓ２９０１）と，地図レイヤ作成ステップ（Ｓ２９０２）と，重畳表示ステップ（Ｓ２９０３）と，筆情報付地図提供装置における受送信ステップ（Ｓ２９０４）と，タブレット装置における受送信ステップ（Ｓ２９０５）と，表示ステップ（Ｓ２９０６）と，代表点選択ステップ（Ｓ２９０７）と，現地情報報告ステップ（Ｓ２９０８）と，現地情報取得ステップ（Ｓ２９０９）からなる処理方法である。これらの処理方法は，筆情報付地図提供装置が，公図を基本に編纂された共通座標上の編纂後筆界付公図である準公図レイヤを保持する準公図レイヤ保持部と，住所境界付の共通座標上の地図レイヤを保持する地図レイヤ保持部と取得した現地情報を保持する現地情報保持部を有し，タブレット装置が，選択した代表点に関連付けて，静止画情報，動画情報，音声情報，テキスト情報のいずれか一以上である現地情報を記録保持する現地情報記録保持部を有する場合において実行されるものである。なお，図２９のうち，現地情報取得ステップを除く各ステップは，実施例１及び実施例９と実施例１０と同様である。以下では，現地情報取得ステップについて説明する。
【０２０１】
「現地情報取得ステップ」とは，タブレット装置の受送信ステップにてタブレット装置から受信した現地情報を取得する段階である。
【０２０２】
＜まとめ＞
これにより，タブレット装置で記録した現地情報を筆情報付地図提供装置に蓄積することができる。
【符号の説明】
【０２０３】
ＣＰＵ： ０２０１，０５０１，０７０１，０９０１，１１０１，１３０１，１６０１，１９０１，２２０１，２５０１，２８０１
主メモリ：０２０２ ，０５０２，０７０２，０９０２，１１０２，１２０２，１６０２，１９０２，２２０２，２５０２，２８０２
ＨＤＤ：０２０３ ，０５０３，０７０３，０９０３，１１０３，１２０３，１６０３，１９０３，２２０３，２５０３，２８０３
ネットワークＩ／Ｆ：０２０４ ，０５０４，０７０４，０９０４，１１０４，１２０４，１６０４，１９０４，２２０４，２５０４，２８０４
システムバス：０２０５ ，０５０５，０７０５，０９０５，１１０５，１２０５，１６０５，１９０５，２２０５，２５０５，２８０５
【図１】
2019053149.tif 000003
【図２】
2019053149.tif 000004
【図３】
2019053149.tif 000005
【図４】
2019053149.tif 000006
【図５】
2019053149.tif 000007
【図６】
2019053149.tif 000008
【図７】
2019053149.tif 000009
【図８】
2019053149.tif 000010
【図９】
2019053149.tif 000011
【図１０】
2019053149.tif 000012
【図１１】
2019053149.tif 000013
【図１２】
2019053149.tif 000014
【図１３】
2019053149.tif 000015
【図１４】
2019053149.tif 000016
【図１５】
2019053149.tif 000017
【図１６】
2019053149.tif 000018
【図１７】
2019053149.tif 000019
【図１８】
2019053149.tif 000020
【図１９】
2019053149.tif 000021
【図２０】
2019053149.tif 000022
【図２１】
2019053149.tif 000023
【図２２】
2019053149.tif 000024
【図２３】
2019053149.tif 000025
【図２４】
2019053149.tif 000026
【図２５】
2019053149.tif 000027
【図２６】
2019053149.tif 000028
【図２７】
2019053149.tif 000029
【図２８】
2019053149.tif 000030
【図２９】
2019053149.tif 000031
【図３０】
2019053149.tif 000032
【図３１】
2019053149.tif 000033
【図３２】
2019053149.tif 000034
【図３３】
2019053149.tif 000035
【図３４】
2019053149.tif 000036
【図３５】
2019053149.tif 000037
【図３６】
2019053149.tif 000038
【図３７】
2019053149.tif 000039
【図３８】
2019053149.tif 000040
【図３９】
2019053149.tif 000041
【図４０】
2019053149.tif 000042
【図４１】
2019053149.tif 000043
【図４２】
2019053149.tif 000044
【図４３】
2019053149.tif 000045
【図４４】
2019053149.tif 000046
【図４５】
2019053149.tif 000047
【図４６】
2019053149.tif 000048